(57)【特許請求の範囲】
【請求項１】
ワイヤレス通信システムにおける拡張アイドルモード間欠受信（ｅＩ−ＤＲＸ）動作のための方法であって、
ユーザ機器（ＵＥ）において、短いページングサイクルの少なくとも１つのページングオケージョンを備える短いページング構成を確立することと、
前記ＵＥにおいて、ｅＩ−ＤＲＸサイクルおよび複数のｅＩ−ＤＲＸページング機会を備えるeＩ−ＤＲＸ構成を確立することと、前記ｅＩ−ＤＲＸサイクルは、複数の前記短いページングサイクルを備える、
前記ｅＩ−ＤＲＸ構成および前記短いページング構成に基づいて、ダウンリンクチャネルを監視することと、ここにおいて、前記監視することは、各ｅＩ−ＤＲＸサイクルについて、前記複数のｅＩ−ＤＲＸページング機会のための前記短いページングサイクルに従って、前記ダウンリンクチャネルを監視することを備え、
前記ＵＥに関連するダウンリンクチャネル信頼性状態の変化を識別することと、ここにおいて、前記ダウンリンクチャネル信頼性状態の前記変化を前記識別することが、
第１の基地局カバレージエリアに関して前記ＵＥのモビリティを決定することを備える、
前記短いページング構成は、前記ダウンリンクチャネル信頼性状態の前記変化に少なくとも部分的に基づいて、確立される、
を備える、方法。
【請求項２】
前記ＵＥの前記モビリティを決定することは、
前記ＵＥが前記確立されたｅＩ−ＤＲＸサイクル中に第２の基地局カバレージエリアに移動するだろうことを示すＵＥモビリティ値を決定することを備える、請求項１に記載の方法。
【請求項３】
前記決定されたＵＥモビリティ値に基づいて、調整されたｅＩ−ＤＲＸサイクルを要求することをさらに備える、請求項２に記載の方法。
【請求項４】
前記ダウンリンクチャネル信頼性状態の前記変化を識別することは、
前記ｅＩ−ＤＲＸサイクルに基づいてアイドルモード測定を実行することを備え、前記アイドルモード測定が、前記第１の基地局カバレージエリアを有する第１の基地局または第２の基地局カバレージエリアを有する第２の基地局のうちの少なくとも１つの信号強度を測定することを含む、
ここにおいて、前記ダウンリンクチャネルを前記監視することが前記アイドルモード測定に基づく、請求項１に記載の方法。
【請求項５】
前記アイドルモード測定を実行することが、
ｅＩ−ＤＲＸ定義ページングオケージョン（ＰＯ）の前に事前ウェイクアップ時間期間中に前記アイドルモード測定を実行することを備え、ここにおいて、前記事前ウェイクアップ時間期間が前記ｅＩ−ＤＲＸサイクルの関数である、請求項４に記載の方法。
【請求項６】
前記第１の基地局の前記信号強度が、前記第２の基地局の前記信号強度よりも小さく、あらかじめ定義された最小信号強度しきい値を上回るとき、前記ｅＩ−ＤＲＸ定義ＰＯの持続時間の間、前記第１の基地局との接続を維持することと、
前記ｅＩ−ＤＲＸ定義ＰＯの後に前記第２の基地局との接続を確立することとをさらに備える、請求項５に記載の方法。
【請求項７】
前記第１の基地局の前記信号強度が、前記第２の基地局の前記信号強度よりも小さく、あらかじめ定義された最小信号強度しきい値よりも小さいとき、前記ｅＩ−ＤＲＸ定義ＰＯの前に、前記第２の基地局との接続を確立することと、
前記第２の基地局と前記ｅＩ−ＤＲＸ定義ＰＯに参加することとをさらに備える、請求項５に記載の方法。
【請求項８】
システム情報ブロック（ＳＩＢ）の一部として前記事前ウェイクアップ時間期間を受信することをさらに備える、請求項５に記載の方法。
【請求項９】
前記短いページング構成を確立することは、
前記ダウンリンクチャネル信頼性状態の変化があるとき、前記短いページングサイクルが使用されるべきである監視インスタンスの最大数を確立することを備える、請求項１に記載の方法。
【請求項１０】
前記ＵＥが、前記ダウンリンクチャネル信頼性状態の前記変化を決定したとき、前記短いページングサイクルと監視インスタンスの前記最大数とに基づいてダウンリンクチャネル監視を実行することをさらに備える、請求項１に記載の方法。
【請求項１１】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項１に記載の方法。
【請求項１２】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項１に記載の方法。
【請求項１３】
ワイヤレス通信システムにおける拡張アイドルモード間欠受信（ｅＩ−ＤＲＸ）動作のための装置であって、
プロセッサと、
前記プロセッサと電子通信しているメモリと、
前記メモリに記憶され、前記プロセッサによって実行されたとき、前記装置に、
ユーザ機器（ＵＥ）において、短いページングサイクルの少なくとも１つのページングオケージョンを備える短いページング構成を確立することと、
前記ＵＥにおいて、ｅＩ−ＤＲＸサイクルおよび複数のｅＩ−ＤＲＸページング機会を備えるeＩ−ＤＲＸ構成を確立することと、前記ｅＩ−ＤＲＸサイクルは、複数の前記短いページングサイクルを備える、
前記ｅＩ−ＤＲＸ構成および前記短いページング構成に基づいて、ダウンリンクチャネルを監視することと、ここにおいて、前記監視することは、各ｅＩ−ＤＲＸサイクルについて、前記複数のｅＩ−ＤＲＸページング機会のための前記短いページングサイクルに従って、前記ダウンリンクチャネルを監視することを備え、
前記ＵＥに関連するダウンリンクチャネル信頼性状態の変化を識別することと、ここにおいて、前記ダウンリンクチャネル信頼性状態の前記変化を識別することは、第１の基地局カバレージエリアに関して前記ＵＥのモビリティを決定することを備え、前記短いページング構成は、前記ダウンリンクチャネル信頼性状態の前記変化に少なくとも部分的に基づいて、確立される、
を行わせるように動作可能な命令とを備える、装置。
【請求項１４】
前記ＵＥの前記モビリティを決定するように前記プロセッサによって実行可能な前記命令は、
前記ＵＥが前記確立されたｅＩ−ＤＲＸサイクル中に第２の基地局カバレージエリアに移動するだろうことを示すＵＥモビリティ値を決定するように前記プロセッサによって実行可能な命令を備える、請求項１３に記載の装置。
【請求項１５】
前記決定されたＵＥモビリティ値に基づいて、調整されたｅＩ−ＤＲＸサイクルを要求するように前記プロセッサによって実行可能な命令をさらに備える、請求項１４に記載の装置。
【請求項１６】
前記ダウンリンクチャネル信頼性状態の前記変化を識別するように前記プロセッサによって実行可能な前記命令は、
前記ｅＩ−ＤＲＸサイクルに基づいてアイドルモード測定を実行するように前記プロセッサによって実行可能な命令を備え、前記アイドルモード測定が、前記第１の基地局カバレージエリアを有する第１の基地局または第２の基地局カバレージエリアを有する第２の基地局のうちの少なくとも１つの信号強度を測定することを含み、
ここにおいて、前記ダウンリンクチャネルを前記監視することが、前記アイドルモード測定に基づく、請求項１３に記載の装置。
【請求項１７】
アイドルモード測定を実行するように前記プロセッサによって実行可能な前記命令が、
ｅＩ−ＤＲＸ定義ページングオケージョン（ＰＯ）の前に事前ウェイクアップ時間期間中に前記アイドルモード測定を実行するように前記プロセッサによって実行可能な命令を備え、前記事前ウェイクアップ時間期間が前記ｅＩ−ＤＲＸサイクルの関数である、請求項１６に記載の装置。
【請求項１８】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項１３に記載の装置。
【請求項１９】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項１３に記載の装置。
【請求項２０】
ワイヤレス通信システムの基地局における拡張アイドルモード間欠受信（ｅＩ−ＤＲＸ）動作のための方法であって、
前記基地局によってサービス提供されるユーザ機器（ＵＥ）によって使用されるべき短いページング構成を確立することと、前記短いページング構成は、短いページングサイクルの少なくとも１つのページングオケージョンを備える、
前記ＵＥによって使用されるべきｅＩ−ＤＲＸ構成を確立することと、前記ｅＩ−ＤＲＸ構成は、ｅＩ−ＤＲＸサイクルと複数のｅＩ−ＤＲＸページング機会を備え、前記ｅＩ−ＤＲＸサイクルは、複数の前記短いページングサイクルを備える、
前記ｅＩ−ＤＲＸサイクルおよび前記短いページングサイクルに基づいて、前記ＵＥにページング情報をいつ送信すべきかを調整することと、ここにおいて前記調整することは、各ｅＩ−ＤＲＸサイクルの前記複数のｅＩ−ＤＲＸページング機会のための前記短いページングサイクルに従って、前記ページング情報の送信を調整することを備える、
前記ＵＥにページング情報を送信することとを備え、
ここにおいて、前記短いページング構成は、前記ＵＥに関連するダウンリンクチャネル信頼性状態の変化に少なくとも部分的に基づいて、確立され、
前記ダウンリンクチャネル信頼性状態の前記変化は、前記ＵＥによって識別され、前記ダウンリンクチャネル信頼性状態の前記変化を前記識別することが、第１の基地局カバレージエリアに関して前記ＵＥのモビリティを決定することを備える、方法。
【請求項２１】
ページング情報をいつ送信すべきかを前記調整することが、
前記ｅＩ−ＤＲＸサイクルを短縮するための要求を前記ＵＥから受信することと、
前記受信された要求に応答して前記ｅＩ−ＤＲＸサイクルを短縮することとをさらに備える、請求項２０に記載の方法。
【請求項２２】
前記ＵＥのためのｅＩ−ＤＲＸ定義ページングオケージョン（ＰＯ）の前にアイドルモード測定を実行するために、前記ＵＥのための事前ウェイクアップ時間期間を前記ＵＥと確立することをさらに備え、前記アイドルモード測定が、１つまたは複数の基地局の信号強度を測定することを含む、請求項２０に記載の方法。
【請求項２３】
システム情報ブロック（ＳＩＢ）の一部として前記事前ウェイクアップ時間期間をブロードキャストすることをさらに備える、請求項２２に記載の方法。
【請求項２４】
前記短いページング構成を前記確立することは、
前記短いページングサイクルが使用されるべきである監視インスタンスの最大数を確立することとを備える、請求項２０に記載の方法。
【請求項２５】
前記短いページングサイクルと監視インスタンスの前記最大数とに基づいてページング情報を再送信することをさらに備える、請求項２４に記載の方法。
【請求項２６】
モビリティ管理エンティティ（ＭＭＥ）トラッキングエリア内で１つまたは複数の基地局間のシステムフレーム番号（ＳＦＮ）サイクルの同期を確立することをさらに備える、請求項２０に記載の方法。
【請求項２７】
前記ＭＭＥトラッキングエリア内で前記１つまたは複数の基地局と同時にページング情報を再送信することをさらに備える、請求項２６に記載の方法。
【請求項２８】
前記ＵＥがシステムアクセスを実行したことと、前記基地局が前記ＵＥにページング情報を再送信することを停止し得ることとを示すページ停止メッセージをモビリティ管理エンティティ（ＭＭＥ）から受信することをさらに備える、請求項２５に記載の方法。
【請求項２９】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項２０に記載の方法。
【請求項３０】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項２０に記載の方法。
【請求項３１】
ワイヤレス通信システムの基地局における拡張アイドルモード間欠受信（ｅＩ−ＤＲＸ）動作のための装置であって、
プロセッサと、
前記プロセッサと電子通信しているメモリと、
前記メモリに記憶され、前記プロセッサによって実行されたとき、前記装置に、
前記基地局によってサービス提供されるユーザ機器（ＵＥ）によって使用されるべき短いページング構成を確立することと、前記短いページング構成は、短いページングサイクルの少なくとも１つのページングオケージョンを備える、
前記ＵＥによって使用されるべきｅＩ−ＤＲＸ構成を確立することと、前記ｅＩ−ＤＲＸ構成は、ｅＩ−ＤＲＸサイクルと複数のｅＩ−ＤＲＸページング機会を備え、前記ｅＩ−ＤＲＸサイクルは、複数の前記短いページングサイクルを備える、
前記ｅＩ−ＤＲＸサイクルおよび前記短いページングサイクルに基づいて、前記ＵＥにページング情報をいつ送信すべきかを調整することと、ここにおいて前記調整することは、各ｅＩ−ＤＲＸサイクルの前記複数のｅＩ−ＤＲＸページング機会のための前記短いページングサイクルに従って、前記ページング情報の送信を調整することを備える、
前記ＵＥにページング情報を送信することと、
を行わせるように動作可能な命令とを備え、
ここにおいて、前記短いページング構成は、前記ＵＥに関連するダウンリンクチャネル信頼性状態の変化に少なくとも部分的に基づいて、確立され、
前記ダウンリンクチャネル信頼性状態の前記変化は、前記ＵＥによって識別され、前記ダウンリンクチャネル信頼性状態の前記変化を前記識別することが、第１の基地局カバレージエリアに関して前記ＵＥのモビリティを決定することを備える、装置。
【請求項３２】
ページング情報をいつ送信すべきかを調整するように前記プロセッサによって実行可能な前記命令が、
前記ｅＩ−ＤＲＸサイクルを短縮するための要求を前記ＵＥから受信することと、
前記受信された要求に応答して前記ｅＩ−ＤＲＸサイクルを短縮することと、
を前記プロセッサによって実行可能な命令を備える、請求項３１に記載の装置。
【請求項３３】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項３１に記載の装置。
【請求項３４】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項３１に記載の装置。
【発明の詳細な説明】
【技術分野】
【０００１】
相互参照
[0001]本特許出願は、各々が本出願の譲受人に譲渡された、２０１５年８月５日に出願された、「Idle-Mode Enhancements for Extended Idle Discontinuous Reception (EI-DRX)」と題する、Ｖａｊａｐｅｙａｍらによる米国特許出願第１４／８１８，８３５号、および２０１４年８月６日に出願された、「Idle-Mode Enhancements for Extended Idle Discontinuous Reception (EI-DRX)」と題する、Ｖａｊａｐｅｙａｍらによる米国仮特許出願第６２／０３４，１２３号の優先権を主張する。
【０００２】
[0003]本開示は、たとえば、ワイヤレス通信システムに関し、より詳細には、拡張アイドル間欠受信（ｅＩ−ＤＲＸ：extended idle discontinuous reception）動作に関する。
【背景技術】
【０００３】
[0004]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0005]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0006]ＵＥはまた、バッテリー電力を節約するために様々なモードに入り得る。たとえば、ＵＥは、ＵＥによって受信された通信が制限される間欠受信（ＤＲＸ）モードに入り得る。ＤＲＸモードは、接続状態（Ｃ−ＤＲＸ）またはアイドル状態（Ｉ−ＤＲＸ）のいずれかにおいて適用され得る。各場合において、ＵＥは、通信のそれの受信をＤＲＸサイクル内の指定された無線フレームに制限する。より長いＤＲＸサイクルは、ＵＥが、より低い頻度で基地局と通信し、バッテリー電力を潜在的に節約することになる。しかしながら、ＤＲＸサイクルがより長くなるにつれて、ＵＥのための通信状態が、指定された無線フレーム間の時間間隔中に変化し得る危険がある。たとえば、Ｉ−ＤＲＸサイクルが十分に長い場合、ＵＥはＩ−ＤＲＸサイクル中に異なる基地局のカバレージエリア間で移動し得ることが可能であり、これは、ＵＥが、アウェイク（awake）し、ＵＥがページングなどの他の動作に参加することができる前に基地局ハンドオフ動作に参加する必要をＵＥが有し得ることを発見し得ることを意味する。そのような状況では、ＵＥは、ＵＥの通信状態の変化によりページングメッセージなどのメッセージを逃す危険を冒す。
【発明の概要】
【０００６】
[0007]拡張アイドル間欠受信（ｅＩ−ＤＲＸ）サイクル中に、ユーザ機器（ＵＥ）は、ページングのためにアウェイクし、ＵＥが、ＵＥ／基地局通信のための基地局を再選択する必要を有することを発見し得る。いくつかの事例では、基地局を再選択するためにＵＥによって要された時間が、ＵＥが、ページングオケージョンを逃し（miss）、したがって、ページングオケージョン中に配信された任意のページングメッセージを逃すことになり得る。この問題に応答して、ＵＥが、受信されたｅＩ−ＤＲＸサイクルとＵＥの決定されたモビリティの両方に基づいて、ページングメッセージなどのダウンリンク（ＤＬ）通信をいつ監視すべきかを決定し得る。ＵＥの決定されたモビリティは、ＵＥロケーションの変化（およびしたがって基地局接続性の潜在的変化）を反映し得、ＵＥの移動の予期される程度をも反映し得る。同様に、基地局が、ｅＩ−ＤＲＸサイクルとＵＥのモビリティとに基づいてＵＥへのページング情報のそれの送信を調整し得る。
【０００７】
[0008]いくつかの実施形態では、ワイヤレス通信システムにおけるｅＩ−ＤＲＸ動作のための方法が開示される。本方法は、ＵＥにおいて、ｅＩ−ＤＲＸサイクルのための構成を受信することと、ＵＥに関連するダウンリンクチャネル信頼性状態の変化を識別することと、受信されたｅＩ−ＤＲＸサイクルと識別されたダウンリンクチャネル信頼性状態とに基づいて、ダウンリンク（ＤＬ）チャネル監視をいつ実行（perform）すべきかを決定することとを含み得る。
【０００８】
[0009]一態様では、ダウンリンクチャネル信頼性状態の変化を識別することは、第１の基地局カバレージエリアに関してＵＥのモビリティを決定することを含み得る。ＵＥが受信されたｅＩ−ＤＲＸサイクル中に第２の基地局カバレージエリアに移動するだろう可能性を示すＵＥモビリティ値が決定され得る。本方法は、決定されたＵＥモビリティ値に基づいて、調整されたｅＩ−ＤＲＸサイクルを要求することをも含み得る。
【０００９】
[0010]一態様では、ダウンリンクチャネル信頼性状態の変化を識別することは、ｅＩ−ＤＲＸサイクルに基づいてアイドルモード測定を実行することを含み得、アイドルモード測定が、第１の基地局カバレージエリアを有する第１の基地局および第２の基地局カバレージエリアを有する第２の基地局のうちの少なくとも１つの信号強度を測定することを含み、ここにおいて、ダウンリンクチャネル監視をいつ実行すべきかを決定することはアイドルモード測定に基づく。アイドルモード測定を実行することは、ｅＩ−ＤＲＸ定義ページングオケージョン（ＰＯ：paging occasion）の前に事前ウェイクアップ（pre-wake-up）時間期間中にアイドルモード測定を実行することを含み得、ここで、事前ウェイクアップ時間期間はｅＩ−ＤＲＸサイクルの関数であり得る。さらに、本方法は、第１の基地局の信号強度が、第２の基地局の信号強度よりも小さく、あらかじめ定義された（predefined）最小信号強度しきい値を上回るとき、ｅＩ−ＤＲＸ定義ＰＯの持続時間の間、第１の基地局との接続を維持すること、ならびにｅＩ−ＤＲＸ定義ＰＯの後に第２の基地局との接続を確立することをも含み得る。代替的に、本方法は、第１の基地局の信号強度が、第２の基地局の信号強度よりも小さく、あらかじめ定義された最小信号強度しきい値よりも小さいとき、ｅＩ−ＤＲＸ定義ＰＯの前に、第２の基地局との接続を確立すること、ならびに第２の基地局とｅＩ−ＤＲＸ定義ＰＯに参加することを含み得る。本方法は、システム情報ブロック（ＳＩＢ）の一部として事前ウェイクアップ時間期間を受信することをも含み得る。
【００１０】
[0011]別の態様では、本方法は、ダウンリンクチャネル信頼性状態の変化に少なくとも部分的に基づいて、ＵＥおよび基地局によって使用されるべき短いページング構成を確立することを含み得る。短いページング構成を確立することは、短いページングサイクルを確立すること、短いページングサイクルが、受信されたｅＩ−ＤＲＸサイクルよりも短い、ならびにダウンリンクチャネル信頼性状態の変化があるとき、短いページングサイクルが使用されるべきである監視インスタンスの最大数（a maximum number of monitoring instances）を確立することを含み得る。本方法は、ＵＥが、ダウンリンクチャネル信頼性状態の変化があると決定したとき、短いページングサイクルと監視インスタンスの最大数とに基づいてダウンリンクチャネル監視を実行することをさらに含み得る。
【００１１】
[0012]第２の実施形態では、ワイヤレス通信システムにおける拡張アイドル間欠受信（ｅＩ−ＤＲＸ）動作のための装置が開示される。本装置は、ユーザ機器（ＵＥ）において、ｅＩ−ＤＲＸサイクルのための構成を受信するための手段を含み得る。本装置は、ＵＥに関連するダウンリンクチャネル信頼性状態の変化を識別するための手段をも含み得る。さらに、本装置は、受信されたｅＩ−ＤＲＸサイクルと識別されたダウンリンクチャネル信頼性状態とに基づいて、ダウンリンク（ＤＬ）チャネル監視をいつ実行すべきかを決定するための手段を含み得る。
【００１２】
[0013]一態様では、ダウンリンクチャネル信頼性状態の変化を識別するための手段は、第１の基地局カバレージエリアに関してＵＥのモビリティを決定するための手段を含み得る。ＵＥのモビリティを決定するための手段は、ＵＥが受信されたｅＩ−ＤＲＸサイクル中に第２の基地局カバレージエリアに移動するだろう可能性を示すＵＥモビリティ値を決定するための手段を含み得る。本装置は、決定されたＵＥモビリティ値に基づいて、調整されたｅＩ−ＤＲＸサイクルを要求するための手段をさらに含み得る。
【００１３】
[0014]別の態様では、ダウンリンクチャネル信頼性状態の変化を識別するための手段は、ｅＩ−ＤＲＸサイクルに基づいてアイドルモード測定を実行するための手段をも含み得、アイドルモード測定が、第１の基地局カバレージエリアを有する第１の基地局および第２の基地局カバレージエリアを有する第２の基地局のうちの少なくとも１つの信号強度を測定することを含み、ここにおいて、ダウンリンクチャネル監視をいつ実行すべきかを決定するための手段はアイドルモード測定にさらに基づく。アイドルモード測定を実行するための手段は、ｅＩ−ＤＲＸ定義ＰＯの前に事前ウェイクアップ時間期間中にアイドルモード測定を実行するための手段を含み得、ここで、事前ウェイクアップ時間期間はｅＩ−ＤＲＸサイクルの関数であり得る。本装置は、第１の基地局の信号強度が、第２の基地局の信号強度よりも小さく、あらかじめ定義された最小信号強度しきい値を上回るとき、ｅＩ−ＤＲＸ定義ＰＯの持続時間の間、第１の基地局との接続を維持するための手段、ならびにｅＩ−ＤＲＸ定義ＰＯの後に第２の基地局との接続を確立するための手段をさらに含み得る。代替的に、本装置は、第１の基地局の信号強度が、第２の基地局の信号強度よりも小さく、あらかじめ定義された最小信号強度しきい値よりも小さいとき、ｅＩ−ＤＲＸ定義ＰＯの前に、第２の基地局との接続を確立するための手段、ならびに第２の基地局とｅＩ−ＤＲＸ定義ＰＯに参加するための手段を含み得る。本装置は、システム情報ブロック（ＳＩＢ）の一部として事前ウェイクアップ時間期間を受信するための手段をも含み得る。
【００１４】
[0015]また別の態様では、本装置は、ダウンリンクチャネル信頼性状態の変化に少なくとも部分的に基づいて、ＵＥおよび基地局によって使用されるべき短いページング構成を確立するための手段を含み得る。短いページング構成を確立するための手段は、短いページングサイクルを確立するための手段と、短いページングサイクルが、受信されたｅＩ−ＤＲＸサイクルよりも短い、また、ダウンリンクチャネル信頼性状態の変化があるとき、短いページングサイクルが使用されるべきである監視インスタンスの最大数を確立するための手段とを含み得る。本装置は、ＵＥが、ダウンリンクチャネル信頼性状態の変化があると決定したとき、短いページングサイクルと監視インスタンスの最大数とに基づいてダウンリンクチャネル監視を実行するための手段をさらに含み得る。
【００１５】
[0016]第３の実施形態では、ワイヤレス通信システムにおける拡張アイドル間欠受信（ｅＩ−ＤＲＸ）動作のための装置が開示される。本装置は、プロセッサと、プロセッサと電子通信しているメモリと、メモリに記憶された命令とを含む。命令は、ユーザ機器（ＵＥ）において、ｅＩ−ＤＲＸサイクルのための構成を受信することと、ＵＥに関連するダウンリンクチャネル信頼性状態の変化を識別することと、受信されたｅＩ−ＤＲＸサイクルと識別されたダウンリンクチャネル信頼性状態とに基づいて、ダウンリンク（ＤＬ）チャネル監視をいつ実行すべきかを決定することとを行うために、プロセッサによって実行可能である。
【００１６】
[0017]一態様では、ダウンリンクチャネル信頼性状態の変化を識別するためにプロセッサによって実行可能な命令は、第１の基地局カバレージエリアに関してＵＥのモビリティを決定するためにプロセッサによって実行可能な命令を含み得る。ＵＥのモビリティを決定するためにプロセッサによって実行可能な命令は、ＵＥが受信されたｅＩ−ＤＲＸサイクル中に第２の基地局カバレージエリアに移動するだろう可能性を示すＵＥモビリティ値を決定するためにプロセッサによって実行可能な命令を含み得る。
【００１７】
[0018]本装置は、決定されたＵＥモビリティ値に基づいて、調整されたｅＩ−ＤＲＸサイクルを要求するためにプロセッサによって実行可能な命令をさらに含み得る。ＵＥのモビリティを決定するためにプロセッサによって実行可能な命令は、ｅＩ−ＤＲＸサイクルに基づいてアイドルモード測定を実行するためにプロセッサによって実行可能な命令を含み得、アイドルモード測定が、第１の基地局カバレージエリアを有する第１の基地局および第２の基地局カバレージエリアを有する第２の基地局のうちの少なくとも１つの信号強度を測定することを含み、ここにおいて、ダウンリンクチャネル監視をいつ実行すべきかを決定することはアイドルモード測定に基づく。アイドルモード測定を実行するためにプロセッサによって実行可能な命令は、ｅＩ−ＤＲＸ定義ＰＯの前に事前ウェイクアップ時間期間中にアイドルモード測定を実行するためにプロセッサによって実行可能な命令をも含み得、ここで、事前ウェイクアップ時間期間はｅＩ−ＤＲＸサイクルの関数であり得る。
【００１８】
[0019]本装置は、第１の基地局の信号強度が、第２の基地局の信号強度よりも小さく、あらかじめ定義された最小信号強度しきい値を上回るとき、ｅＩ−ＤＲＸ定義ＰＯの持続時間の間、第１の基地局との接続を維持することと、ｅＩ−ＤＲＸ定義ＰＯの後に第２の基地局との接続を確立することとを行うためにプロセッサによって実行可能な命令をさらに含み得る。本装置は、第１の基地局の信号強度が、第２の基地局の信号強度よりも小さく、あらかじめ定義された最小信号強度しきい値よりも小さいとき、ｅＩ−ＤＲＸ定義ＰＯの前に、第２の基地局との接続を確立することと、第２の基地局とｅＩ−ＤＲＸ定義ＰＯに参加することとを行うためにプロセッサによって実行可能な命令をさらに含み得る。本装置は、ＳＩＢの一部として事前ウェイクアップ時間期間を受信するためにプロセッサによって実行可能な命令をさらに含み得る。
【００１９】
[0020]本装置は、ダウンリンクチャネル信頼性状態の変化に少なくとも部分的に基づいて、ＵＥおよび基地局によって使用されるべき短いページング構成を確立するためにプロセッサによって実行可能な命令をさらに含み得る。短いページング構成を確立するためにプロセッサによって実行可能な命令は、短いページングサイクルを確立することと、短いページングサイクルが、受信されたｅＩ−ＤＲＸサイクルよりも短い、ダウンリンクチャネル信頼性状態の変化があるとき、短いページングサイクルが使用されるべきである監視インスタンスの最大数を確立することとを行うためにプロセッサによって実行可能な命令を含み得る。本装置は、ＵＥが、ダウンリンクチャネル信頼性状態の変化があると決定したとき、短いページングサイクルと監視インスタンスの最大数とに基づいてダウンリンクチャネル監視を実行するためにプロセッサによって実行可能な命令をさらに含み得る。本装置は、ＵＥが、ダウンリンクチャネル信頼性状態の変化があると決定したとき、短いページングサイクルと監視インスタンスの最大数とに基づいてダウンリンクチャネル監視を実行するためにプロセッサによって実行可能な命令をさらに含み得る。
【００２０】
[0021]第４の実施形態では、ワイヤレス通信システムにおけるｅＩ−ＤＲＸ動作のためのコンピュータ実行可能コードを記憶する非一時的コンピュータ可読媒体が開示される。コードは、ＵＥにおいて、ｅＩ−ＤＲＸサイクルのための構成を受信することと、ＵＥに関連するダウンリンクチャネル信頼性状態の変化を識別することと、受信されたｅＩ−ＤＲＸサイクルと決定されたモビリティとに基づいて、ダウンリンクチャネル監視をいつ実行すべきかを決定することとを行うために、プロセッサによって実行可能である。
【００２１】
[0022]一態様では、ダウンリンクチャネル信頼性状態の変化を識別するためのコードは、第１の基地局カバレージエリアに関してＵＥのモビリティを決定するためにプロセッサによってさらに実行可能なコードを含み得る。ＵＥのモビリティを決定するためのコードは、ＵＥが受信されたｅＩ−ＤＲＸサイクル中に第２の基地局カバレージエリアに移動するだろう可能性を示すＵＥモビリティ値を決定するためのコードを含み得る。
【００２２】
[0023]いくつかの態様では、コードは、決定されたＵＥモビリティ値に基づいて、調整されたｅＩ−ＤＲＸサイクルを要求するためにプロセッサによってさらに実行可能であり得る。ＵＥのモビリティを決定するためのコードは、ｅＩ−ＤＲＸサイクルに基づいてアイドルモード測定を実行するためにプロセッサによってさらに実行可能なコードを含み得、アイドルモード測定が、第１の基地局カバレージエリアを有する第１の基地局および第２の基地局カバレージエリアを有する第２の基地局のうちの少なくとも１つの信号強度を測定することを含み、ここにおいて、ダウンリンクチャネル監視をいつ実行すべきかを決定することはアイドルモード測定に基づく。アイドルモード測定を実行するためのコードは、ｅＩ−ＤＲＸ定義ＰＯの前に事前ウェイクアップ時間期間中にアイドルモード測定を実行するためにプロセッサによってさらに実行可能なコードをも含み得、ここで、事前ウェイクアップ時間期間はｅＩ−ＤＲＸサイクルの関数である。
【００２３】
[0024]コードは、第１の基地局の信号強度が、第２の基地局の信号強度よりも小さく、あらかじめ定義された最小信号強度しきい値を上回るとき、ｅＩ−ＤＲＸ定義ＰＯの持続時間の間、第１の基地局との接続を維持することと、ｅＩ−ＤＲＸ定義ＰＯの後に第２の基地局との接続を確立することとを行うためにプロセッサによってさらに実行可能である。コードは、第１の基地局の信号強度が、第２の基地局の信号強度よりも小さく、あらかじめ定義された最小信号強度しきい値よりも小さいとき、ｅＩ−ＤＲＸ定義ＰＯの前に、第２の基地局との接続を確立することと、第２の基地局とｅＩ−ＤＲＸ定義ＰＯに参加することとを行うためにプロセッサによってさらに実行可能である。コードは、ＳＩＢの一部として事前ウェイクアップ時間期間を受信するためにプロセッサによってさらに実行可能である。
【００２４】
[0025]コードは、ダウンリンクチャネル信頼性状態の変化に少なくとも部分的に基づいて、ＵＥおよび基地局によって使用されるべき短いページング構成を確立するためにプロセッサによってさらに実行可能であり得る。短いページング構成を確立するためのコードは、短いページングサイクルを確立することと、短いページングサイクルが、受信されたｅＩ−ＤＲＸサイクルよりも短い、ダウンリンクチャネル信頼性状態の変化があるとき、短いページングサイクルが使用されるべきである監視インスタンスの最大数を確立することとを行うためにプロセッサによってさらに実行可能なコードを含み得る。コードは、ＵＥが、ダウンリンクチャネル信頼性状態の変化があると決定したとき、短いページングサイクルと監視インスタンスの最大数とに基づいてダウンリンクチャネル監視を実行するためにプロセッサによってさらに実行可能なコードをさらに含み得る。コードは、ＵＥが、ダウンリンクチャネル信頼性状態の変化があると決定したとき、短いページングサイクルと監視インスタンスの最大数とに基づいてダウンリンクチャネル監視を実行するためにプロセッサによってさらに実行可能であり得る。
【００２５】
[0026]また別の実施形態では、ワイヤレス通信システムにおけるｅＩ−ＤＲＸ動作のための方法が開示される。本方法は、ｅＩ−ＤＲＸサイクルのための構成を基地局からＵＥに送信することを含み得る。本方法は、ｅＩ−ＤＲＸサイクルに基づいて、ＵＥにページング情報をいつ送信すべきかを調整することをも含み得る。本方法は、ＵＥにページング情報を送信することをさらに含み得る。
【００２６】
[0027]一態様では、ページング情報をいつ送信すべきかを調整することは、ｅＩ−ＤＲＸサイクルを短縮するための要求をＵＥから受信することと、受信された要求に応答してｅＩ−ＤＲＸサイクルを短縮することとを含み得る。本方法は、ＵＥのためのｅＩ−ＤＲＸ定義ＰＯの前にアイドルモード測定を実行するために、ＵＥのための事前ウェイクアップ時間期間をＵＥと確立することをも含み得、アイドルモード測定が、１つまたは複数の基地局の信号強度を測定することを含む。さらに、本方法は、ＳＩＢの一部として事前ウェイクアップ時間期間をブロードキャストすることを含み得る。
【００２７】
[0028]別の態様では、本方法は、ダウンリンクチャネル信頼性状態の変化に少なくとも部分的に基づいて、ＵＥおよび基地局によって使用されるべき短いページング構成を確立することを含み得る。短いページング構成を確立することは、短いページングサイクルを確立すること、短いページングサイクルが、受信されたｅＩ−ＤＲＸサイクルよりも短い、ならびに短いページングサイクルが使用されるべきである監視インスタンスの最大数を確立することを含み得る。本方法は、短いページングサイクルと監視インスタンスの最大数とに基づいてページング情報を再送信することをさらに含み得る。さらに、本方法は、モビリティ管理エンティティ（ＭＭＥ）トラッキングエリア内で１つまたは複数の基地局間のシステムフレーム番号（ＳＦＮ）サイクルの同期を確立することを含み得る。本方法は、ＭＭＥトラッキングエリア内で１つまたは複数の基地局と同時にページング情報を再送信することをも含み得る。さらに、本方法は、ＵＥがシステムアクセスを実行したことと、基地局がＵＥにページング情報を再送信することを停止し得ることとを示すページ停止メッセージ（stop-page message）をＭＭＥから受信することを含み得る。
【００２８】
[0029]さらに別の実施形態では、ワイヤレス通信システムにおけるｅＩ−ＤＲＸ動作のための装置が開示される。本装置は、ｅＩ−ＤＲＸサイクルのための構成を基地局からユーザ機器（ＵＥ）に送信するための手段を含み得る。本装置は、ｅＩ−ＤＲＸサイクルに基づいて、ＵＥにページング情報をいつ送信すべきかを調整するための手段をも含み得る。さらに、本装置は、ＵＥにページング情報を送信するための手段を含み得る。
【００２９】
[0030]一態様では、ページング情報をいつ送信すべきかを調整するための手段は、ｅＩ−ＤＲＸサイクルを短縮するための要求をＵＥから受信するための手段、ならびに受信された要求に応答してｅＩ−ＤＲＸサイクルを短縮するための手段を含み得る。本装置は、ＵＥのためのｅＩ−ＤＲＸ定義ＰＯの前にアイドルモード測定を実行するために、ＵＥのための事前ウェイクアップ時間期間をＵＥと確立するための手段をも含み得、アイドルモード測定が、１つまたは複数の基地局の信号強度を測定することを含む。本装置は、ＳＩＢの一部として事前ウェイクアップ時間期間をブロードキャストするための手段をさらに含み得る。
【００３０】
[0031]別の態様では、本装置は、ＵＥおよび基地局によって使用されるべき短いページング構成を確立するための手段を含み得る。短いページング構成を確立するための手段は、短いページングサイクルを確立するための手段、短いページングサイクルが、受信されたｅＩ−ＤＲＸサイクルよりも短い、ならびに短いページングサイクルが使用されるべきである監視インスタンスの最大数を確立するための手段を含み得る。本装置は、短いページングサイクルと監視インスタンスの最大数とに基づいてページング情報を再送信するための手段をさらに含み得る。さらに、ＭＭＥトラッキングエリア内で１つまたは複数の基地局間のＳＦＮサイクルの同期を確立するための手段も、本装置中に含まれ得る。本装置は、ＭＭＥトラッキングエリア内で１つまたは複数の基地局と同時にページング情報を再送信するための手段をも含み得る。さらに、本装置は、ＵＥがシステムアクセスを実行したことと、基地局がＵＥにページング情報を再送信することを停止し得ることとを示すページ停止メッセージをＭＭＥから受信するための手段を含み得る。
【００３１】
[0032]別の実施形態では、ワイヤレス通信システムにおけるｅＩ−ＤＲＸ動作のための装置が開示される。本装置は、プロセッサと、プロセッサと電子通信しているメモリと、メモリに記憶された命令とを含み得る。命令は、ｅＩ−ＤＲＸサイクルのための構成を基地局からＵＥに送信することと、ｅＩ−ＤＲＸサイクルに基づいて、ＵＥにページング情報をいつ送信すべきかを調整することと、ＵＥにページング情報を送信することとを行うためにプロセッサによって実行可能である。
【００３２】
[0033]一態様では、ページング情報をいつ送信すべきかを調整するためにプロセッサによって実行可能な命令は、ｅＩ−ＤＲＸサイクルを短縮するための要求をＵＥから受信することと、受信された要求に応答してｅＩ−ＤＲＸサイクルを短縮することとを行うためにプロセッサによって実行可能な命令を含み得る。本装置は、ＵＥのためのｅＩ−ＤＲＸ定義ＰＯの前にアイドルモード測定を実行するために、ＵＥのための事前ウェイクアップ時間期間をＵＥと確立するためにプロセッサによって実行可能な命令をさらに含み得、アイドルモード測定が、１つまたは複数の基地局の信号強度を測定することを含む。本装置は、ＳＩＢの一部として事前ウェイクアップ時間期間をブロードキャストするためにプロセッサによって実行可能な命令をさらに含み得る。
【００３３】
[0034]さらに、本装置は、ＵＥおよび基地局によって使用されるべき短いページング構成を確立するためにプロセッサによって実行可能な命令を含み得る。短いページング構成を確立するためにプロセッサによって実行可能な命令は、短いページングサイクルを確立することと、短いページングサイクルが、受信されたｅＩ−ＤＲＸサイクルよりも短い、短いページングサイクルが使用されるべきである監視インスタンスの最大数を確立することとを行うためにプロセッサによって実行可能な命令を含み得る。本装置は、短いページングサイクルと監視インスタンスの最大数とに基づいてページング情報を再送信するためにプロセッサによって実行可能な命令をさらに含み得る。さらに、本装置は、ＭＭＥトラッキングエリア内で１つまたは複数の基地局間のＳＦＮサイクルの同期を確立するためにプロセッサによって実行可能な命令をも含み得る。本装置は、ＭＭＥトラッキングエリア内で１つまたは複数の基地局と同時にページング情報を再送信するためにプロセッサによって実行可能な命令をも含み得る。さらに、本装置は、ＵＥがシステムアクセスを実行したことと、基地局がＵＥにページング情報を再送信することを停止し得ることとを示すページ停止メッセージをＭＭＥから受信するためにプロセッサによって実行可能な命令を含み得る。
【００３４】
[0035]さらに別の実施形態では、ワイヤレス通信システムにおけるｅＩ−ＤＲＸ動作のためのコンピュータ実行可能コードを記憶する非一時的コンピュータ可読媒体が開示される。コードは、ｅＩ−ＤＲＸサイクルのための構成を基地局からＵＥに送信することと、ｅＩ−ＤＲＸサイクルに基づいて、ＵＥにページング情報をいつ送信すべきかを調整することと、ＵＥにページング情報を送信することとを行うためにプロセッサによって実行可能であり得る。
【００３５】
[0036]いくつかの態様では、ページング情報をいつ送信すべきかを調整するためのコードは、ｅＩ−ＤＲＸサイクルを短縮するための要求をＵＥから受信することと、受信された要求に応答してｅＩ−ＤＲＸサイクルを短縮することとを行うためにプロセッサによって実行可能なコードを含み得る。本非一時的コンピュータ可読媒体は、ＵＥのためのｅＩ−ＤＲＸ定義ＰＯの前にアイドルモード測定を実行するために、ＵＥのための事前ウェイクアップ時間期間をＵＥと確立するためにプロセッサによって実行可能なコードをさらに含み得、アイドルモード測定が、１つまたは複数の基地局の信号強度を測定することを含む。本非一時的コンピュータ可読媒体は、ＳＩＢの一部として事前ウェイクアップ時間期間をブロードキャストするためにプロセッサによって実行可能なコードをさらに含み得る。
【００３６】
[0037]さらに、本非一時的コンピュータ可読媒体は、ＵＥおよび基地局によって使用されるべき短いページング構成を確立するためにプロセッサによって実行可能なコードをさらに含み得る。短いページング構成を確立するためのコードは、短いページングサイクルを確立することと、短いページングサイクルが、受信されたｅＩ−ＤＲＸサイクルよりも短い、短いページングサイクルが使用されるべきである監視インスタンスの最大数を確立することとを行うためにプロセッサによって実行可能なコードを含み得る。本非一時的コンピュータ可読媒体は、短いページングサイクルと監視インスタンスの最大数とに基づいてページング情報を再送信するためにプロセッサによって実行可能なコードをさらに含み得る。さらに、本非一時的コンピュータ可読媒体は、ＭＭＥトラッキングエリア内で１つまたは複数の基地局間のＳＦＮサイクルの同期を確立するためにプロセッサによって実行可能なコードをさらに含み得る。本非一時的コンピュータ可読媒体は、ＭＭＥトラッキングエリア内で１つまたは複数の基地局と同時にページング情報を再送信するためにプロセッサによって実行可能なコードをさらに含み得る。さらに、本非一時的コンピュータ可読媒体は、ＵＥがシステムアクセスを実行したことと、基地局がＵＥにページング情報を再送信することを停止し得ることとを示すページ停止メッセージをＭＭＥから受信するためにプロセッサによって実行可能なコードをさらに含み得る。
【００３７】
[0038]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して検討すると以下の説明をより良く理解されよう。図の各々は、例示および説明の目的で与えられるものであり、特許請求の範囲の制限の定義として与えられるものではない。
【００３８】
[0039]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３９】
【図１】[0040]本開示の様々な態様による、ワイヤレス通信システムのブロック図。
【図２】[0041]様々な実施形態による、ハイパーサブフレーム番号（ＳＦＮ）延長シグナリング（extension signaling）の一例を示す流れ図。
【図３】[0042]様々な実施形態による、例示的なハイパーＳＦＮフレームタイミングのタイミング図。
【図４】[0043]様々な実施形態による、例示的なレガシーＤＲＸ動作およびｅＩ−ＤＲＸ動作のタイミング図。
【図５】[0044]様々な実施形態による、拡張システム情報修正期間の一例を示すタイミング図。
【図６】[0045]本開示の様々な態様による、拡張ページングサイクルのタイミング図の一例を示す図。
【図７Ａ】[0046]本開示の様々な態様による、拡張ページングサイクルのタイミング図の例を示す図。
【図７Ｂ】本開示の様々な態様による、拡張ページングサイクルのタイミング図の例を示す図。
【図８】[0047]本開示の様々な態様による、ワイヤレス通信において使用するために構成されたデバイスのブロック図。
【図９】[0048]本開示の様々な態様による、ワイヤレス通信において使用するために構成されたデバイスのブロック図。
【図１０】[0049]本開示の様々な態様による、ワイヤレス通信システムのブロック図。
【図１１】[0050]本開示の様々な態様による、ワイヤレス通信において使用するための装置のブロック図。
【図１２】[0051]本開示の様々な態様による、ワイヤレス通信において使用するための装置のブロック図。
【図１３】[0052]本開示の様々な態様による、ワイヤレス通信において使用するための基地局（たとえば、ｅＮＢの一部または全部を形成する基地局）のブロック図。
【図１４】[0053]本開示の様々な態様による、多入力／多出力通信システムのブロック図。
【図１５】[0054]本開示の様々な態様による、ワイヤレス通信のための方法の例を示すフローチャート。
【図１６】本開示の様々な態様による、ワイヤレス通信のための方法の例を示すフローチャート。
【図１７】本開示の様々な態様による、ワイヤレス通信のための方法の例を示すフローチャート。
【図１８】本開示の様々な態様による、ワイヤレス通信のための方法の例を示すフローチャート。
【発明を実施するための形態】
【００４０】
[0055]一般的なアイドル間欠受信（Ｉ−ＤＲＸ）サイクルは、数秒まで（up to）持続し得る。たとえば、ロングタームエボリューション（ＬＴＥ（登録商標））システムでは、Ｉ−ＤＲＸサイクルは、２．５６秒間持続するように構成され得る。しかしながら、拡張Ｉ−ＤＲＸ（ｅＩ−ＤＲＸ）サイクルは、一般的なＩ−ＤＲＸサイクルよりも何倍も長く持続し得る。数秒の期間持続する代わりに、ｅＩ−ＤＲＸサイクルは、数分（たとえば、１０分）持続し得る。一般的なＩ−ＤＲＸサイクルの下で動作するＵＥはアイドルモードから起動し（awaken）得、Ｉ−ＤＲＸサイクルの短さのために、おそらく、ＵＥがアイドルモードに入る前にそれが接続された同じ基地局と再接続し得る。しかしながら、ｅＩ−ＤＲＸサイクルの下で動作するＵＥは、ＵＥが事実上（effectively）眠っている間に基地局カバレージエリア間で移動させられる危険を冒す。これは、ＵＥがアウェイクし、ページングメッセージなどのダウンリンク（ＤＬ）トラフィックを監視するために基地局と再接続することを試みるとき、ＵＥは、ＵＥがそれの電力節約モードに入る前に接続されていた基地局とは異なる基地局と最初に再接続する必要があり得ることを意味する。
【００４１】
[0056]この問題に応答して、ＵＥが、ページングメッセージなどのＤＬ通信をいつ監視すべきかを決定し得る。ＵＥは、受信されたｅＩ−ＤＲＸサイクルとＵＥの決定されたモビリティの両方に基づいて、それの決定を行い得る。移動する可能性が高いまたは移動したＵＥは、それがページングメッセージなどのＤＬ通信をいつおよびどのように監視するかを変更することをＵＥに強要するモビリティを示し得る。
【００４２】
[0057]以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００４３】
[0058]図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え（provide）得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００４４】
[0059]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る。ある地理的カバレージエリア１１０から別の地理的カバレージエリアに移動するＵＥ１１５は、ハンドオフプロシージャに参加することによって、異なる基地局１０５と再接続し得る。ハンドオフプロシージャは、ＵＥ１１５がスリープモードから起動した直後に（just after）行われ（occur）、したがって、ページングメッセージについてＤＬチャネルを監視することなど、いくつかの（certain）アクティビティに参加するためのＵＥ１１５の能力を遅延させ得る。
【００４５】
[0060]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００４６】
[0061]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４７】
[0062]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００４８】
[0063]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４９】
[0064]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００５０】
[0065]たとえば、ＵＥ１１５は、以下でより詳細に説明するように、ｅＩ−ＤＲＸ構成を受信することによって基地局１０５と通信し得る。ｅＩ−ＤＲＸ構成は、数分の長さであるｅＩ−ＤＲＸサイクルを与え得る。ＵＥ１１５はまた、基地局１０５からページングメッセージを受信することによって基地局１０５と通信し得る。しかしながら、ＵＥ１１５が、受信されたｅＩ−ＤＲＸ構成に従ってスリープモードにあり、ＵＥ１１５が異なる基地局１０５の地理的カバレージエリア１１０間で移動し得ることを意味する移動（mobile）でもある場合、ＵＥ１１５がそれのスリープモードから起動し、ＵＥ１１５が通信のために基地局１０５を再選択する必要を有することを発見し得る可能性がある。新しい基地局１０５との再選択および接続時間は、ＵＥ１１５がそれの元の地理的カバレージエリア１１０中にとどまっていたか、またはそれの受信されたｅＩ−ＤＲＸサイクルの下で動作していなかったかのいずれかの場合に、ＵＥ１１５がおそらく受信したであろうページングメッセージをＵＥ１１５が逃すことになり得る。
【００５１】
[0066]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ：frequency division duplex）動作を使用して（たとえば、対スペクトルリソースを使用して）または時分割複信（ＴＤＤ：time division duplex）動作を使用して（たとえば、不対スペクトルリソースを使用して）双方向通信を送信し得る。ＦＤＤのためのフレーム構造（たとえば、フレーム構造タイプ１）およびＴＤＤのためのフレーム構造（たとえば、フレーム構造タイプ２）が定義され得る。
【００５２】
[0067]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよび／またはＳＣ−ＦＤＭＡキャリアは、一般にトーン、ビンなどとも呼ばれる複数（Ｋ個）の直交サブキャリアに区分され得る。各サブキャリアは情報で変調され得る。隣接するサブキャリア間の間隔は固定であり得、サブキャリアの総数（Ｋ）はキャリア帯域幅に依存し得る。たとえば、Ｋは、それぞれ、１．４、３、５、１０、１５、または２０メガヘルツ（ＭＨｚ）の（保護帯域をもつ）対応するキャリア帯域幅に対して、１５キロヘルツ（ＫＨｚ）のサブキャリア間隔の場合、７２、１８０、３００、６００、９００、または１２００に等しくなり得る。キャリア帯域幅はまた、サブバンドに区分され得る。たとえば、サブバンドは１．０８ＭＨｚをカバーし得、キャリアは１つ、２つ、４つ、８つまたは１６個のサブバンドを有し得る。
【００５３】
[0068]ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００５４】
[0069]ワイヤレス通信システム１００は、複数のセルまたはキャリア上での動作、すなわち、キャリアアグリゲーション（ＣＡ）またはマルチキャリア動作と呼ばれることがある特徴をサポートし得る。「コンポーネントキャリア」（ＣＣ）という用語は、ＣＡ動作においてＵＥによって利用される複数のキャリアの各々を指すことがあり、システム帯域幅の他の部分（たとえば、他のキャリアなど）とは別個であり得る。ＣＡ動作では、ＵＥ１１５は、より大きい動作帯域幅、および、たとえば、より高いデータレートを与えるために、複数のダウンリンクおよび／またはアップリンクＣＣをコンカレントに利用するように構成され得る。ＣＡ動作において使用されるＣＣは、任意の好適な帯域幅（たとえば、１．４、３、５、１０、１５、または２０メガヘルツ（ＭＨｚ）など）であり得、各個々のＣＣは、たとえば、ＬＴＥ規格のリリース８またはリリース９に基づいてシングルキャリアと同じ能力を与え得る。したがって、個々のＣＣは、ＬＴＥリリース８またはリリース９を実装するＵＥ１１５との後方互換性があり得、一方、ＣＡのために構成された、リリース８／９後のＬＴＥバージョンを実装するまたはシングルキャリアモードにあるＵＥ１１５によっても利用される。代替的に、ＣＣは、他のＣＣと組み合わせて使用されるように構成され得、シングルキャリアモードをサポートするために使用されるいくつかのチャネル（たとえば、フォーマットまたは制御チャネルなど）を搬送しないことがある。ＣＡは、ＦＤＤコンポーネントキャリアとＴＤＤコンポーネントキャリアの両方とともに使用され得る。
【００５５】
[0070]ＬＴＥ／ＬＴＥ−Ａでは、各セルのための無線フレームは、サブフレーム番号（ＳＦＮ）によってインデックス付けされる。ＳＦＮが１０ビットを有し、各無線フレームが１０ｍｓ長であるので、１０２４個の無線フレームの各フレームサイクルは、１０．２４ｓにわたる（span）。ＳＦＮの８つの最上位ビットは、各無線フレーム中で送信されるマスタ情報ブロック（ＭＩＢ）においてブロードキャストされる。２つの最下位ビットは、１つの完全なブロードキャストチャネル（ＢＣＨ）送信時間間隔（ＴＴＩ）を送信するために使用される４つの無線フレームサイクルから推論され（deduced）得る。以下でさらに詳細に説明するように、いくつかの事例では、所与の（given）長さのＳＦＮを有するサブフレームのセットのためにフレームサイクルを拡張するための追加のビットが、ＳＦＮ中に含まれ得る。追加のビットは、たとえば、１０ビットのレガシーＳＦＮ長に付加され（appended）得る。いくつかの態様では、１０ビットレガシーＳＦＮは、フレームサイクルが約６５５．３６秒にわたることを可能にするために６ビットだけ拡張され得る。より長いフレームサイクルは、より長いアイドルモードＤＲＸサイクル、またはｅＩ−ＤＲＸの実装を容易にし得る。
【００５６】
[0071]ＵＥ１１５は、リムーバブルであるか、またはＵＥ１１５に永続的にインストールされ得るモジュール（たとえば、加入者識別モジュール（ＳＩＭ）など）に記憶され得る、国際モバイル加入者識別情報（ＩＭＳＩ）などの永続的加入者識別情報（permanent subscriber identity）によって識別され得る。概して、ＵＥ１１５は、アイドルモード（ＲＲＣ＿Ｉｄｌｅ）または接続モード（ＲＲＣ＿Ｃｏｎｎｅｃｔｅｄ）のいずれかにあり得る。アイドルモードでは、ＵＥ１１５は、セル選択および再選択を実行し、それ自体をネットワーク内に登録するが、ユーザデータをアクティブに通信しない。ＵＥ１１５はまた、着信データ（たとえば、呼など）、システム情報の変化、および通知（たとえば、緊急通知など）を識別、受信、または処理するためにアイドルモードでページングメッセージをリッスンする。ページングメッセージを監視することは、ページング無線ネットワーク一時識別子（Ｐ−ＲＮＴＩ：paging radio network temporary identifier）でスクランブルされたページング制御メッセージについて所定の間隔でＰＤＣＣＨを監視することを含む。見つけられた場合、ページング制御メッセージは、ＵＥ１１５のためのページング情報について、ページングメッセージにポインタを与える。アイドル状態中にページング制御メッセージについてＰＤＣＣＨを不連続的に監視するプロセスは、アイドル間欠受信（Ｉ−ＤＲＸ）として知られる。
【００５７】
[0072]ページングメッセージが受信されたとき、ＵＥ１１５は、基地局１０５とＵＥ１１５との間のデータの転送のための接続モードに遷移するために、ランダムアクセスプロシージャを実行する。接続モードでは、ＵＥ１１５は、接続プロシージャにおいて基地局１０５によって割り当てられたセル無線ネットワーク一時識別子（Ｃ−ＲＮＴＩ：cell radio network temporary identifier）に従って、ＰＤＣＣＨを連続的に監視する。いくつかの事例では、ＵＥ１１５はまた、接続ＤＲＸ（Ｃ−ＤＲＸ：connected DRX）として知られる、接続モードでのＤＲＸ動作のために構成され得る。
【００５８】
[0073]Ｉ−ＤＲＸでは、ＵＥ１１５は、ＤＲＸサイクルによって決定されたページングサイクルに従って、ページングについてＰＤＣＣＨを監視する。各セルは、３２、６４、１２４、または２５６の値を有するセル固有ＤＲＸサイクルをブロードキャストする。ＵＥ１１５は、アタッチ要求内で異なるＵＥ固有ＤＲＸサイクルを要求することができる。ＵＥが要求することができる値の範囲は、セル固有ＤＲＸサイクルのために利用可能な値と同じである。したがって、ＬＴＥにおける最大ＤＲＸサイクルは２．５６ｓである。
【００５９】
[0074]ページング制御メッセージがＰ−ＲＮＴＩを用いてＵＥ１１５にアドレス指定され得るサブフレームは、ページングオケージョン（ＰＯ）として知られる。ページングフレーム（ＰＦ：paging frame）は、１つまたは複数のＰＯを含んでいる無線フレームである。ＰＦは、以下の式を満たすサブフレームとして、ＤＲＸパラメータによって決定される。
【００６０】
【数１】
0006408128.tif 000002
【００６１】
上式で、
‐Ｔ：ＵＥのＤＲＸサイクル。Ｔは、割り当てられた場合はＵＥ固有ＤＲＸ値の、およびセルによってブロードキャストされたデフォルトＤＲＸ値の、最も短いものである。
【００６２】
‐ｎＢ：セル固有ＤＲＸサイクル（４Ｔ、２Ｔ、Ｔ、Ｔ／２、Ｔ／４、Ｔ／８、Ｔ／１６、Ｔ／３２）におけるページングオケージョンの数。
【００６３】
‐Ｎ：ｍｉｎ（Ｔ，ｎＢ）
‐ＵＥ＿ＩＤ：ＩＭＳＩ  ｍｏｄ  １０２４
[0075]以下の表１および表２に示されている、サブフレームパターン内のＰＯを指すインデックスｉ＿ｓが、以下の式から導出される。
【００６４】
【数２】
0006408128.tif 000003
【００６５】
上式で、
‐Ｎｓ：ｍａｘ（１，ｎＢ／Ｔ）。
【００６６】
【表１】
0006408128.tif 000004
【００６７】
【表２】
0006408128.tif 000005
【００６８】
[0076]現在のＩ−ＤＲＸ機構は、高度の接続性が望まれるスマートフォンなどのデバイスのために十分であり得るが、いくつかのデバイスは、現在の最大ＤＲＸサイクルを非効率的にする異なる電力および接続性要件を有し得る。たとえば、マシンタイプ通信デバイスなどのデバイスは、まれにアクティブであり得、より限られた電力バジェットを有し得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。いくつかのＵＥは、基地局、別のリモートデバイス、または何らかの他のエンティティと通信し得る、センサー、メーター、ロケーションタグなどのリモートデバイスを含み得る、マシンタイプ通信（ＭＴＣ）ＵＥと見なされ得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【００６９】
[0077]１つの提案するソリューションは、接続モードからアイドルモードに遷移した後にアクティブタイマーが満了したとき、ＵＥが電力節約モード（ＰＳＭ：Power Saving Mode）に入ることを可能にする。ＰＳＭでは、ＵＥは、ページングに到達不可能であり、アクセス層アクティビティを停止する。ＰＳＭは、モバイル発信（ＭＯ：mobile originated）データが生成された場合、または周期トラッキングエリア更新（ＴＡＵ：tracking area update）タイマーに基づいて、終了される。アクティブタイマーおよび周期ＴＡＵタイマーは、ＵＥおよびｅＮＢによってネゴシエートされ得る。しかしながら、ＰＳＭを出ると、ＵＥはＴＡＵプロシージャを実行し、それは、ＵＥに割り当てられたトラッキングエリアを更新するためにＲＲＣシグナリングおよび非アクセス層（ＮＡＳ）シグナリングを交換するためのランダムアクセスプロシージャを含む。したがって、このプロシージャは、各ＰＳＭ期間の終了時にＴＡＵプロシージャにおいてかなりの（substantial）電力消費を招く。
【００７０】
[0078]ＵＥ１１５および基地局１０５など、ワイヤレス通信システム１００の構成要素は、ハイパーＳＦＮ延長シグナリングを使用する拡張ＤＲＸ（ｅ−ＤＲＸ）動作のために構成され得る。ハイパーＳＦＮ延長シグナリングは、拡張ＳＦＮ範囲を使用するように構成されていないレガシーＵＥのための（たとえば、同じセル上の）後方互換性を維持しながら、ＳＦＮ範囲を拡張し得る。ハイパーＳＦＮ延長シグナリングは、システム情報の一部として送信されたハイパーＳＦＮのインデックスを含み得る。ハイパーＳＦＮを使用するように構成されたＵＥ（たとえば、非レガシーＵＥ）は、レガシーＳＦＮ範囲とハイパーＳＦＮ範囲とを含む拡張ＳＦＮ範囲へのより長いまたは拡張ＳＦＮインデックスを、効果的に使用し得る。ハイパーＳＦＮ延長は、同じページングリソース上の既存のＩ−ＤＲＸモードと共存し得る拡張アイドルＤＲＸ（ｅＩ−ＤＲＸ）モードで使用され得る。追加または代替として、ページングは、別個のページングオケージョン（ＰＯ）または新しいページングＲＮＴＩを使用するｅＩ−ＤＲＸモードＵＥのために区別され得る。明快のために、本開示は、Ｉ−ＤＲＸ動作に適用される拡張ＤＲＸ動作のための技法について説明する。しかしながら、ハイパーＳＦＮ延長シグナリングを使用してＤＲＸ動作を拡張するための説明する技法は、いくつかの事例では、Ｃ−ＤＲＸ動作に適用され得る。
【００７１】
[0079]図２に、本開示の様々な態様による、ハイパーＳＦＮ延長シグナリングの一例を示す流れ図２００を示す。流れ図２００は、たとえば、ｅＩ−ＤＲＸ動作のためにハイパーＳＦＮシグナリングを使用するように構成されたＵＥ１１５−ａ（たとえば、非レガシーＵＥ）のためのメッセージフローを示し得る。非レガシーＵＥ１１５−ａは、図１に示されているＵＥ１１５のうちの１つの一例であり得る。
【００７２】
[0080]図１の基地局１０５のうちの１つの一例であり得る基地局１０５−ａが、流れ図２００に示されている。流れ図２００はまた、モビリティ管理エンティティ（ＭＭＥ）２８０、サービングゲートウェイ（ＳＧＷ）２８５、およびパケットゲートウェイ（Ｐ−ＧＷ）２９０を示しており、これらは、図１に示されているコアネットワーク１３０の一部であり得る。
【００７３】
[0081]基地局１０５−ａは、レガシーＳＦＮ範囲へのインデックスであり得るフレームインデックス２０５をブロードキャストし得る。たとえば、基地局１０５−ａは、ＭＩＢにおいてＳＦＮの８つの最上位ビットを送信し得る。ＭＩＢは、物理ブロードキャストチャネル（ＰＢＣＨ：physical broadcast channel）を介して送信され得る。
【００７４】
[0082]基地局１０５−ａはまた、ハイパーフレームインデックス（hyper frame index）２１０をブロードキャストし得る。ハイパーフレームインデックス２１０は、ＭＩＢとは異なるシステム情報ブロック（ＳＩＢ）の一部としてハイパーＳＦＮのインデックスを送信することによってブロードキャストされ得る。たとえば、ハイパーＳＦＮのインデックスは、ＳＩＢ１またはＳＩＢ２において送信され得る。ＳＩＢ１およびＳＩＢ２は、データチャネル（たとえば、ＰＤＳＣＨ）を介して送信され得る。ハイパーＳＦＮ中のビット数は、ｅＩ−ＤＲＸ動作において所望の範囲を与える拡張ＳＦＮを与えるために選択され得る。たとえば、ハイパーＳＦＮは、ＳＦＮを６ビットだけ拡張し得、これは、６５５．３６ｓ（約１１分）のハイパーＳＦＮスパンを可能にする。図３に、本開示の様々な態様による、例示的な拡張ＳＦＮフレームタイミングのタイミング図３００を示す。タイミング図３００は、６４個のＳＦＮサイクル３１０を含む６ビットハイパーＳＦＮサイクル３２０を示し、ここで、各ＳＦＮサイクル３１０が１０２４個のフレームを含む。したがって、ハイパーＳＦＮおよびレガシーＳＦＮによってインデックス付けされた、拡張ＳＦＮサイクルは、６５，５３６個のフレームにわたる。ハイパーＳＦＮのための他のビット長（たとえば、４、５、７、８、１０など）が、適宜にまたは必要に応じて（desired）選択され得る。
【００７５】
[0083]図２に戻ると、基地局１０５−ａはまた、拡張ＤＲＸサイクル２１５をブロードキャストし得る。ブロードキャストされた拡張ＤＲＸサイクル２１５は、ｅＩ−ＤＲＸページングサイクルのためのデフォルト拡張ＤＲＸサイクルを示し得る。拡張ＤＲＸサイクル２１５は、ＳＩＢ（たとえば、ＳＩＢ１、ＳＩＢ２など）において送信され得、ハイパーＳＦＮと同じビット数を有し得る。
【００７６】
[0084]流れ図２００に示されているように、ＵＥ１１５−ａは、２２０において、基地局１０５−ａとのＲＲＣ接続を確立し得る。ＵＥ１１５−ａは、２２５において、ネットワークアタッチメントおよびトラッキングエリア更新（ＴＡＵ）を実行し得る。ネットワークアタッチメントおよびＴＡＵプロシージャは、ネットワーク上のＵＥ１１５−ａの認証と、セキュリティセットアップと、ネットワークを介した通信のためのネットワークリソース（たとえば、ＭＭＥ２８０、ベアラなど）の割当てとを含み得る。
【００７７】
[0085]通信アクティビティが継続中でない場合、ＵＥ１１５−ａは、２３０において、ＲＲＣ接続を解放し得る。ＵＥ１１５−ａは、次いで、２３５において、ネットワークからページングを受信するためのｅＩ−ＤＲＸ動作モード（eI-DRX mode of operation）に入り得る。したがって、ＵＥ１１５−ａは、２３５において、ｅＩ−ＤＲＸ動作のための決定されたＰＦおよびページングオケージョン（ＰＯ）に従い得る。ｅＩ−ＤＲＸ動作のためのＰＦおよびＰＯを決定することについて、以下でより詳細に説明する。
【００７８】
[0086]ＵＥ１１５−ａのためのダウンリンクデータ２４０は、受信され、Ｐ−ＧＷ２９０からＳＧＷ２８５に転送され得る。ＳＧＷ２８５は、２４２において、ＭＭＥ２８０にダウンリンクデータを通知し得る。ＭＭＥ２８０は、２４５において、ダウンリンクデータ通知２４２に肯定応答し得る。ＳＧＷ２８５は、次いで、２５０において、ダウンリンクデータを記憶し得る。
【００７９】
[0087]ＭＭＥ２８０は、ＵＥ１１５−ａのためのトラッキングエリア内の基地局１０５にページングメッセージ２５５を送り得る。基地局１０５−ａは、ｅＩ−ＤＲＸページングサイクルに従って決定されたＵＥ１１５−ａのためのＰＯにおいて、ページングメッセージ２６０をブロードキャストし得る。ＵＥは、ページングメッセージ２６０を受信し得、ダウンリンクデータ２４０は、２６５において、サービス要求のために通信で転送され得る。
【００８０】
[0088]図４に、本開示の様々な態様による、例示的なレガシーＤＲＸ動作およびｅＩ−ＤＲＸ動作のタイミング図４００を示す。レガシーＤＲＸ動作の場合、ＤＲＸサイクルＴ＝３２個のフレーム（３２０ｍｓ）およびページングオケージョンパラメータｎＢ＝Ｔ／２である。したがって、ＵＥ＿ＩＤ＝０をもつレガシーＵＥの場合、レガシーＵＥ  ＰＦ４１５は、ＳＦＮ  ｍｏｄ  ３２＝０である無線フレームである。
【００８１】
[0089]ｅＩ−ＤＲＸ動作の場合、ＰＦおよびＰＯは以下の式によって決定され、ｅＩ−ＤＲＸパラメータはシステム情報（たとえば、ＭＩＢ、ＳＩＢ１、ＳＩＢ２など）において与えられ得る。
【００８２】
ＰＦ’は、以下を満たすｅＩ−ＤＲＸ動作のためのページングサブフレームであり得る。
【００８３】
【数３】
0006408128.tif 000006
【００８４】
（たとえば、上記の表１および表２から）ＰＯ’を決定するためのインデックスｉ＿ｓ’は、以下によって与えられ得る。
【００８５】
【数４】
0006408128.tif 000007
【００８６】
上式で、
‐Ｔ’：ＵＥのｅＩ−ＤＲＸサイクル。Ｔ’は、割り当てられた場合はＵＥ固有ｅＩ−ＤＲＸ値の、およびセルによってブロードキャストされたデフォルトｅＩ−ＤＲＸ値の、最も短いものであり得る。
【００８７】
‐ｎＢ’：ｅＩ−ＤＲＸサイクル（４Ｔ’、２Ｔ’、Ｔ’、Ｔ’／２、Ｔ’／４、Ｔ’／８、Ｔ’／１６、Ｔ’／３２）におけるページングオケージョンの数。
【００８８】
‐Ｎ’：ｍｉｎ（Ｔ’，ｎＢ’）
‐Ｎｓ’：ｍａｘ（１，ｎＢ’／Ｔ’）
‐ＵＥ＿ＩＤ’：ＩＭＳＩ  ｍｏｄ  ２＾ｎ
[0090]タイミング図４００では、ｅＩ−ＤＲＸサイクルＴ’＝２＾１５＝３２７６８＝３２７．６８ｓであり、ｅＩ−ＤＲＸ動作のためのページングオケージョンパラメータｎＢ’は、Ｔ’／２＝０．５Ｔ’である。ページングオケージョンパラメータｎＢ’は、図４中でレガシーＤＲＸ動作のためのページングオケージョンパラメータｎＢと同じ係数（たとえば、０．５）によって定義されて示されているが、パラメータｎＢ’は異なる係数を有し得る。ｅＩ−ＤＲＸ動作のためのページングオケージョンパラメータｎＢ’は、たとえば、レガシーＤＲＸ動作のためのページングオケージョンパラメータｎＢとは別に（たとえば、ＳＩＢ１またはＳＩＢ２などにおいて）送信され得る。
【００８９】
[0091]図４に示されているようにｅＩ−ＤＲＸ動作における非レガシーＵＥ１１５の場合、ＵＥ＿ＩＤ’は３０であり得る。ＵＥ＿ＩＤ’は、ｅＩ−ＤＲＸ動作のために使用されるハイパーＳＦＮ範囲中のページングフレームの増加により、レガシーＵＥのためのＵＥ＿ＩＤと比較して拡張範囲とともに与え（provided with）得る。たとえば、ＵＥ＿ＩＤ’は、ＵＥ＿ＩＤ’＝（ＩＭＳＩ  ｍｏｄ  ２＾ｎ）として定義され得、ここで、ｎはレガシーＳＦＮ範囲ＲLEGACYおよび／またはハイパーＳＦＮ範囲ＲHYPERに基づいて決定され得る。たとえば、ｎは、ｎ＝ｌｏｇ2（ＲLEGACY）＋ｌｏｇ2（ＲHYPER）＋ｃとして決定され得、ここで、ｃはｅＩ−ＤＲＸサイクルごとの複数の（たとえば、２つ、４つなど）ページングオケージョンの可能性を考慮し得る。一実施形態では、ｅＩ−ＤＲＸサイクルにおけるページングオケージョンの数は、（４Ｔ’、２Ｔ’、Ｔ’、Ｔ’／２、Ｔ’／４、Ｔ’／８、Ｔ’／１６、Ｔ’／３２）の様々な値を有し得、パラメータｃは２であり得る。したがって、各フレームサイクルが１０２４個の無線フレームを含むレガシーフレームサイクルである、６４フレームサイクル（ＲHYPER＝６４）を有するハイパーＳＦＮサイクルの場合、ｎは１８に等しくなり得る。
【００９０】
[0092]図４に示されているように、例示的な非レガシーＵＥ１１５は、Ｔ’＝３２７．６８ｓの拡張ページングサイクル４２０と、ＳＦＮ’ｍｏｄ  Ｔ’＝２＊ＵＥ＿ＩＤ’＝６０を有する無線フレームによって定義されるｅＩ−ＤＲＸのためのＰＦ４２５とを有し得る。ＰＦ４２５内のＰＯ４３０は、ｉ＿ｓ’＝０に従って表１および表２によって与えられ得る。
【００９１】
[0093]上記で説明したように、セルは、デフォルトｅＩ−ＤＲＸサイクル値をブロードキャストし得る。追加または代替として、非レガシーＵＥ１１５は、（たとえば、ＲＲＣシグナリングなどを介して）異なるＵＥ固有ｅＩ−ＤＲＸサイクル値を要求し得る。上記で説明したように、拡張ページングサイクルおよびページングフレームを決定するために使用されるＴ’の値は、割り当てられた場合はＵＥ固有ｅＩ−ＤＲＸサイクル値の、およびセルによってブロードキャストされたデフォルトｅＩ−ＤＲＸサイクル値の、最も短いものであり得る。
【００９２】
[0094]場合によっては、レガシーＩ−ＤＲＸモードを使用するレガシーＵＥとｅＩ−ＤＲＸモードを使用する非レガシーＵＥとについて、ページングを区別することが望ましいことがある。いくつかの実施形態では、ｅＩ−ＤＲＸモードのための別個のページングフレームまたはページングオケージョンが定義され得る。たとえば、インデックスｉ＿ｓ’からｅＩ−ＤＲＸモードのためのＰＯを定義するために異なるテーブルが使用され得る。追加または代替として、拡張ページングＲＮＴＩ（ｅＰ−ＲＮＴＩ：extended paging RNTI）がｅＩ−ＤＲＸ  ＵＥのために使用され得る。ｅＰ−ＲＮＴＩは、静的に定義され得るか、またはシステム情報（たとえば、ＳＩＢ１、ＳＩＢ２など）においてセルによってブロードキャストされ得る。
【００９３】
[0095]概して、ブロードキャスト制御チャネル（ＢＣＣＨ）上でブロードキャストされたシステム情報への変更は、修正期間境界に従って行われ（occur）得る。修正期間は、デフォルトＤＲＸサイクルと修正期間係数（たとえば、２、４、８、１６）との積によって定義される。システム情報更新が行われる期限(due)になったとき、基地局１０５は、概して、前の修正期間中に、次の修正期間に適用される変更のためにページングメッセージを各ＵＥにブロードキャストする。
【００９４】
[0096]場合によっては、ｅＩ−ＤＲＸモードを使用するＵＥは、システム情報のための各修正期間中にページングオケージョンを有しないことがある。したがって、非レガシーＵＥは、ｅＩ−ＤＲＸサイクルが修正期間よりも長い場合、システム情報の変化の通知を逃し得る。実施形態では、ｅＩ−ＤＲＸをサポートするｅＮＢは、ｅＩ−ＤＲＸサイクルに基づいて、拡張システム情報修正期間を利用する。たとえば、拡張システム情報修正期間は、セルのためにブロードキャストされたデフォルトｅＩ−ＤＲＸサイクルに等しくなり得る。
【００９５】
[0097]図５に、本開示の様々な態様による、拡張システム情報修正期間５２０の一例を示すタイミング図５００を示す。タイミング図５００に示されているように、拡張システム情報修正期間５２０は、いくつかのレガシー修正期間５１０にわたり得る。図５に示されているように、レガシーＵＥのための修正指示（indication）は、修正期間（ｎ−１）と修正期間（ｎ）との境界上で行われる修正のために、修正期間（ｎ−１）中にページングメッセージにおいて送られ得る。修正期間（ｎ−１）は、拡張システム情報修正期間５２０内の最後の修正期間５１０であり得る。
【００９６】
[0098]上記で説明したように、ｅＩ−ＤＲＸモードにある非レガシーＵＥは、拡張システム情報修正期間５２０中に１つのページングフレームを有し得る。しかしながら、修正は、拡張システム情報修正期間５２０の終了まで行われないことがある。非レガシーＵＥは、更新されたシステム情報を様々な方法で監視し得る。一例では、ｅＩ−ＤＲＸモードにある非レガシーＵＥのための修正指示は、システム情報修正が行われる期限になるまでのオフセット（たとえば、修正期間５１０の数、フレームの数など）を示し得る。このようにして、ｅＩ−ＤＲＸモードにある非レガシーＵＥは、システム情報修正が行われる期限になるまで、低電力状態のままであり得る。代替的に、ｅＩ−ＤＲＸモードにある非レガシーＵＥは、拡張システム情報修正期間５２０中に修正指示をもつページングメッセージを受信すると、システム情報の変化が検出されるまで、各修正期間についてシステム情報を監視し得る。ＵＥのための構成されたシステム情報は、次いで、変更されたシステム情報に基づいて更新され得る。また他の実施形態では、ｅＩ−ＤＲＸモードにある非レガシーＵＥは、拡張システム情報修正期間５２０中に修正指示をもつページングメッセージを受信すると、第２の修正指示をもつ第２のページングメッセージが修正期間（ｎ−１）中に検出されるまで、レガシーＩ−ＤＲＸモードによる動作に切り替わり得る。代替的に、ｅＩ−ＤＲＸにあるＵＥはまた、それらのページングオケージョン間隔の倍数においてシステム情報更新について周期的に検査し得る。
【００９７】
[0099]ｅＩ−ＤＲＸサイクルの下で動作することは多くの有意な電力節約利益を有するが、長いｅＩ−ＤＲＸサイクルは、同様にいくつかの問題を生じ得る。上記で説明したように、ｅＩ−ＤＲＸサイクルの下で動作するモバイルＵＥは、ＵＥが事実上眠っている間に基地局カバレージエリア間で移動させられる危険を冒し得る。これは、ＵＥがアウェイクし、ページングメッセージなどのＤＬトラフィックを監視するために基地局と再接続することを試みるとき、ＵＥは、ＵＥがそれの電力節約モードに入る前に接続されていた基地局とは異なる基地局と最初に再接続すべきであることを見つけ得ることを意味する。
【００９８】
[0100]図６は、ｅＩ−ＤＲＸサイクルの使用によって導入されるこの問題の１つのソリューションを示す。図６は、本開示の様々な態様による、拡張ページングサイクルのタイミング図６００の一例を示している。拡張ページングサイクルのタイミング図６００は、それぞれ一連の無線フレームＲＦ（たとえば、ＲＦ０、ＲＦ１、ＲＦ２など）に分割される２つのｅＩ−ＤＲＸサイクル６１０−ａ、６１０−ｂを示す。ｅＩ−ＤＲＸサイクル６１０−ａは、ページングフレーム６２０−ａを含む。ｅＩ−ＤＲＸサイクル６１０−ｂは、ページングフレーム６２０−ｂを含む。ページングフレーム６２０−ａとページングフレーム６２０−ｂとの間の間隔は、拡張ページングサイクル６３０を定義する。拡張ページングサイクルのタイミング図６００、またはそれの少なくとも部分は、図１を参照しながら説明したものなど、ＵＥ１１５または基地局１０５のいずれかによって使用され得る。
【００９９】
[0101]ＵＥ１１５は、ページングフレーム６２０−ａ中のページングオケージョンに参加するために、ジャストインタイムで起動し得る。ページングオケージョン（ＰＯ）に参加した後に、ＵＥ１１５は、ディープスリープモード６４０に戻り、拡張ページングサイクル６３０の終了までこのモードのままであり得、その時において、ＵＥ１１５は、ページングフレーム６２０−ｂ中のページングオケージョンに参加するためにもう一度起動し得る。しかしながら、上記で説明したように、ページングフレーム６２０のためにジャストインタイムでアウェイクすることによって、ＵＥ１１５は、新しい基地局が選択されるかまたは選択され得る場合、ページングオケージョンに参加する前に新しい基地局を再選択するための十分な時間を有しない危険を冒し、ページングオケージョンを逃すことになる。
【０１００】
[0102]したがって、拡張ページングサイクルのタイミング図６００では、ＵＥ１１５はそれのディープスリープモード６４０から早期に起動する。フレーム６５０は、ページングフレーム６２０の直前に生じる事前ウェイクアップ間隔を表す。たとえば、フレーム６５０−ａはページングフレーム６２０−ａの直前に生じ、フレーム６５０−ｂはページングフレーム６２０−ｂの直前に生じる。ＵＥ１１５が、拡張ページングサイクルのタイミング図６００に従って動作するとき、ＵＥは、それのディープスリープから早期に起動し、事前ウェイクアップフレーム６５０中にそれの基地局選択または再選択測定を実行する。これは、ＵＥ１１５に、基地局選択または再選択測定を実行し、ページングフレーム６２０中のページングオケージョンに参加するために適時に（in time）適切な基地局１０５に接続するための時間を与える。
【０１０１】
[0103]事前ウェイクアップフレーム６５０のタイミングおよび数または持続時間（duration）は、ＵＥが選択または再選択測定を実行するための時間の長さに影響を及ぼし得るそれの仕様および構成要素に基づいて、ＵＥ１１５によって決定され得る。代替的に、基地局１０５は、たとえば、ＳＩＢを介して事前ウェイクアップフレーム６５０のための構成をブロードキャストし得る。ブロードキャストされたＳＩＢを受信するＵＥ１１５は、次いで、それの基地局選択または再選択測定を実行するために、事前ウェイクアップフレーム６５０の設定された数を使用することができる。
【０１０２】
[0104]図７Ａに、本開示の様々な態様による、拡張ページングサイクルのタイミング図７００の追加の例を示す。拡張ページングサイクルのタイミング図７００は、ＵＥ１１５が、ｅＩ−ＤＲＸサイクルのディープスリープからアウェイクするときにページングオケージョンを逃さないことを保証するための別のオプションを示す。拡張ページングサイクルのタイミング図７００、またはそれの少なくとも部分は、図１を参照しながら説明したものなど、ＵＥ１１５または基地局１０５のいずれかによって使用され得、また、図６の拡張ページングサイクルのタイミング図６００とともに使用され得る。
【０１０３】
[0105]拡張ページングサイクルのタイミング図７００は、それぞれ一連の無線フレームＲＦ（たとえば、ＲＦ０、ＲＦ１、ＲＦ２など）に分割される２つのｅＩ−ＤＲＸサイクル７１０−ａ、７１０−ｂを示す。ｅＩ−ＤＲＸサイクル７１０−ａは、ページングフレーム７２０−ａを含む。ｅＩ−ＤＲＸサイクル７１０−ｂは、ページングフレーム７２０−ｂを含む。ページングフレーム７２０間の間隔は、拡張ページングサイクル７３０を定義する。拡張ページングサイクルのタイミング図７００は、（レガシーページングフレーム７５０−ａ、７５０−ｂおよび７５０−ｃを含む）追加のレガシーページングフレーム７５０をも含む。レガシーページングフレーム７５０は、ＵＥ１１５がページングフレーム７２０−ａを逃した場合にＵＥ１１５がページングオケージョンに参加するための追加の機会を表す。
【０１０４】
[0106]拡張ページングサイクルのタイミング図７００では、ＵＥ１１５は起動し、基地局再選択測定に従事することによって引き起こされる遅延により、ＵＥ１１５は、ページングフレーム７２０−ａ中のページングオケージョンを逃し得る。しかしながら、このシナリオでは、（図１の）コアネットワーク１３０は、たとえば、ＭＭＥの形態で、ＵＥ１１５がそれのページングフレーム７２０−ａを逃したことを認識し得る。その結果、コアネットワーク１３０は、ローカルエリア基地局１０５（たとえば、ＭＭＥトラッキングエリア内の基地局）に、短いページングサイクル７４０に従ってＵＥ１１５にページングメッセージを送り続けるように命令し（instruct）得る。短いページングサイクル７４０は、持続時間、ならびに短いページングサイクル７４０が繰り返されるべきである回数によって定義され得る。このようにして、基地局１０５は、短いページングサイクル上でＵＥ１１５へのページングメッセージの送信を無限には繰り返さず、代わりに、最終的に（eventually）ページングメッセージの送信を終了するだろう。終了は、ＵＥ１１５がページングメッセージを受信したという指示を、基地局１０５がＵＥ１１５から受信した結果として生じ得る。代替的に、終了は、ＵＥ１１５がページングメッセージを受信したという指示を、コアネットワーク１３０がＵＥ１１５から受信した結果として、およびコアネットワーク１３０が基地局１０５に通知した結果として、生じ得る。終了はまた、ページングメッセージが受信されたという通知なしに、短いページングサイクルの最大数（maximum number of short paging cycles）が到達されるときに生じ得る。
【０１０５】
[0107]ＵＥ１１５はまた、ＵＥ１１５がページングフレーム７２０−ａ中のページングオケージョンを逃したかどうかを決定し、もしそうならば、レガシーページングフレーム７５０を監視し続けるように構成され得る。レガシーページングフレーム７５０を監視した後に、ＵＥ１１５は、ページングフレーム７２０−ｂに適時に再びアウェイクする前に、それの受信されたｅＩ−ＤＲＸサイクル７１０−ａに戻り得る。
【０１０６】
[0108]図７Ｂは、ＵＥ１１５がメッセージを受信および送信するための新しい基地局を選択するときの、図７Ａの例示的な拡張ページングサイクルのタイミング図７００の適用例を示す。図７Ｂは、その場合、元の基地局１０５−ｂとともに使用されるタイミング図７００−ａと、新たに選択された基地局１０５−ｃとともに使用されるタイミング図７００−ｂとを含む。タイミング図７００−ａおよび７００−ｂは、ハイパーＳＦＮ同期され得るか、または時間的にわずかにオフセットされ得る。同期した基地局またはほぼ同期した（nearly-synchronized）基地局は、ページングフレーム７２０−ａを逃したＵＥが、新たに選択された基地局１０５−ｃを選択し、次いで新たに選択された基地局１０５−ｃによって送信されるレガシーページングフレーム７５０を監視する時間を依然として有することを可能にする。したがって、図７Ｂに示されている例では、ＵＥ１１５は、ページングフレーム７２０−ａ（元の基地局１０５−ｂの拡張ページングサイクルの一部）を逃すが、拡張ページングサイクル７３０−ｂ中に新たに選択された基地局１０５−ｃとのレガシーページングフレーム７５０−ｄ中のページング動作に参加する。
【０１０７】
[0109]コアネットワーク１３０は、ＭＭＥトラッキングエリア中の各基地局１０５に、ｅＩ−ＤＲＸサイクルにおいておよびＵＥ１１５へのページングメッセージの送信において同期されるように命令し得る。この状況では、ある基地局から別の基地局に移動したＵＥは、送信されたページングメッセージを受信するためにフルｅＩ−ＤＲＸサイクルを待つ必要がないが、代わりに、ＵＥの元の基地局１０５−ｂ以外の基地局によって使用される短いページングサイクル上でレガシーページングフレーム７５０を介してページングメッセージを受信し得る。ＵＥ１１５がそれのページングメッセージを受信した（またはページングオケージョンに参加した）ら、ＵＥ１１５は、それの新たに選択された基地局１０５−ｃとのｅＩ−ＤＲＸサイクルに戻り、最終的に、次のページングフレーム７２０−ｃに適時に起動し得る。
【０１０８】
[0110]さらに、ＵＥ１１５は、元の基地局１０５−ｂとの通信がページングメッセージの受信を可能にするのに十分に強い限り、ＵＥ１１５がシステムアクセスを実行した後、元の基地局１０５−ｂと接続するまで、基地局１０５を再選択することを延期し得る。したがって、再び図７Ｂの例を使用して、ＵＥ１１５が基地局選択または再選択測定を実行しているためにページングフレーム７２０−ａを逃すＵＥ１１５は、ＵＥ１１５が元の基地局１０５−ｂのレガシーページングフレーム７５０−ａ、７５０−ｂ、または７５０−ｃのうちの１つでページングオケージョンに参加する後、新たに選択された基地局１０５−ｃに切り替わることを遅延させ得る。
【０１０９】
[0111]この例では、ＵＥ１１５は、元の基地局１０５−ｂの信号強度が、ＵＥ１１５が遷移するだろう新たに選択された基地局１０５−ｃの信号強度よりも小さい場合でも、元の基地局の信号強度が所定の最小信号強度しきい値を上回る限り、元の基地局１０５−ｂの拡張ページングサイクルを利用し得る。元の基地局１０５−ｂの信号強度が所定の最小信号強度しきい値を下回る場合、ＵＥ１１５は、単に（simply）、新たに選択された基地局１０５−ｃに遷移するだろうし、新たに選択された基地局１０５−ｃの拡張ページングサイクルのレガシーページングフレーム７５０を使用してシステムアクセスに参加するだろう。
【０１１０】
[0112]ｅＩ−ＤＲＸサイクルとともにＵＥモビリティの影響を緩和するための追加のオプションは、ＵＥ１１５が、基地局１０５との初期接続中に、ＵＥのモビリティに基づいて、調整されたｅＩ−ＤＲＸサイクルを要求することである。より低いＵＥモビリティは、ＵＥ１１５がより長いｅＩ−ＤＲＸサイクルを要求することができることを意味することができる。より高いＵＥモビリティにより、ＵＥ１１５がより短いｅＩ−ＤＲＸサイクルを要求することになり得る。ＵＥのモビリティは、（ＵＥが動作に入れられる（placed into）前に）あらかじめ決定され得るか、またはアドホックに調整され得る。ＵＥのモビリティは、特定の基地局に関してまたはＵＥ１１５が第１の基地局から第２の基地局に移動するだろう可能性（likelihood）に関して決定され得る。
【０１１１】
[0113]図８に、本開示の様々な態様による、ワイヤレス通信において使用するための装置８０５のブロック図８００を示す。いくつかの例では、装置８０５は、デバイスと呼ばれることがあり、本明細書で説明するデバイスの一例であり得る。装置８０５は、たとえば、図１、図２、図６、図７Ａおよび／または図７Ｂを参照しながら説明したＵＥ１１５の１つまたは複数の態様の一例であり得る。装置８０５は、ＵＥ受信機モジュール８１０、ＵＥ  ｅＩ−ＤＲＸページングモジュール８１５、および／またはＵＥ送信機モジュール８２０を含み得る。装置８０５はまた、プロセッサ（図示せず）であるか、またはそれを含み得る。これらのモジュールの各々は互いと通信していることがある。
【０１１２】
[0114]装置８０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的または部分的に、１つまたは複数の汎用または特定用途向けプロセッサによって実行されるようにフォーマットされた、メモリに組み込まれた命令を用いて実装され得る。
【０１１３】
[0115]ＵＥ受信機モジュール８１０は、パケット、ユーザデータ、および／または様々な情報チャネル（たとえば、制御チャネル、データチャネルなど）に関連する制御情報などの情報を受信し得る。ＵＥ受信機モジュール８１０は、たとえば、基地局からｅＩ−ＤＲＸ構成を受信するように構成され得る。情報は、ＵＥ  ｅＩ−ＤＲＸページングモジュール８１５に、および装置８０５の他の構成要素に受け渡され得る。
【０１１４】
[0116]ＵＥ  ｅＩ−ＤＲＸページングモジュール８１５は、ＵＥ受信機モジュール８１０からｅＩ−ＤＲＸ構成を受信し得、装置８０５が基地局選択または再選択測定などのアイドルモード測定をいつ行うべきかを決定するために、装置８０５のためのモビリティ情報に加えてｅＩ−ＤＲＸ構成を使用し得る。いくつかの例では、ＵＥ−ｅＩ−ＤＲＸページングモジュールは、ＵＥに関連するダウンリンクチャネル信頼性状態の変化を識別し得る。ダウンリンクチャネル信頼性は、ＵＥのモビリティを含み得る。ＵＥ  ｅＩ−ＤＲＸページングモジュール８１５は、（動作の前に決定され、装置８０５にプログラムされた）装置８０５のための所定のモビリティにアクセスすることによってまたはアドホックにモビリティ（mobility ad hoc）を決定することによって、装置８０５のモビリティを決定し得る。チャネル状態の変化とｅＩ−ＤＲＸサイクルとに基づいて、ＵＥ  ｅＩ−ＤＲＸページングモジュール８１５は、図６、図７Ａおよび図７Ｂに関して説明したように、ｅＩ−ＤＲＸサイクル定義ページングフレーム中のページングオケージョンを逃すことを回避するために、動作調整を行い得る。
【０１１５】
[0117]ＵＥ送信機モジュール８２０は、装置８０５の他の構成要素から受信された１つまたは複数の信号を送信し得る。ＵＥ送信機モジュール８２０は、ｅＩ−ＤＲＸサイクルを確立および調整することに関係する、装置８０５と（図１の）基地局１０５またはコアネットワーク１３０との間の通信に関与し得る。ＵＥ送信機モジュール８２０はまた、装置８０５が装置のモビリティの結果として異なる基地局との通信を確立するとき、装置８０５によって使用され得る。いくつかの例では、ＵＥ送信機モジュール８２０は、トランシーバモジュールにおいてＵＥ受信機モジュール８１０とコロケートされ得る。
【０１１６】
[0118]図９に、様々な例による、ワイヤレス通信において使用するための装置８０５−ａのブロック図９００を示す。いくつかの例では、装置８０５−ａは、デバイスと呼ばれることがあり、本明細書で説明するデバイスの一例であり得る。装置８０５−ａは、たとえば、図１、図２、図６、図７Ａおよび／または図７Ｂを参照しながら説明したＵＥ１１５の１つまたは複数の態様の一例であり得る。それはまた、図８を参照しながら説明した装置８０５の一例であり得る。装置８０５−ａは、ＵＥ受信機モジュール８１０−ａ、ＵＥ  ｅＩ−ＤＲＸページングモジュール８１５−ａ、および／またはＵＥ送信機モジュール８２０−ａを含み得、これらは、装置８０５の対応するモジュールの例であり得る。装置８０５−ａは、プロセッサ（図示せず）をも含み得る。これらの構成要素の各々は互いと通信していることがある。ＵＥ  ｅＩ−ＤＲＸページングモジュール８１５−ａは、ＵＥ  ｅＩ−ＤＲＸネゴシエーションモジュール９０５、ＵＥ事前ウェイクアップモジュール９１０、および／またはＵＥページング繰り返しモジュール９１５を含み得る。ＵＥ受信機モジュール８１０−ａおよびＵＥ送信機モジュール８２０−ａは、それぞれ、図８のＵＥ受信機モジュール８１０およびＵＥ送信機モジュール８２０の機能を実行し得る。
【０１１７】
[0119]ＵＥ  ｅＩ−ＤＲＸネゴシエーションモジュール９０５は、調整されたｅＩ−ＤＲＸサイクルをネゴシエートするために装置８０５−ａによって使用され得る。ＵＥ  ｅＩ−ＤＲＸページングモジュール８１５−ａが、装置８０５−ａのモビリティが高くなる可能性があると決定した場合、ＵＥ  ｅＩ−ＤＲＸネゴシエーションモジュール９０５は、基地局またはコアネットワークのいずれかに、それのｅＩ−ＤＲＸサイクルを短縮するための要求を発行し得る。ＵＥ  ｅＩ−ＤＲＸページングモジュール８１５−ａが、装置８０５−ａのモビリティが低くなる可能性があると決定した場合、ＵＥ  ｅＩ−ＤＲＸネゴシエーションモジュール９０５は、それのｅＩ−ＤＲＸサイクルを延長するための要求を発行し得る。いくつかの例では、ＵＥ  ｅＩ−ＤＲＸページングモジュール８１５−ａは、ダウンリンクチャネル状態の変化があると決定し得る。たとえば、ＵＥ  ｅＩ−ＤＲＸページングモジュール８１５−ａは、ダウンリンクチャネル状態が信頼できなくなったと決定し得る。たとえば、現在のサービング基地局からの信号強度が、ＰＯを逃す可能性があるＰＯを受信するのに十分強くない場合、ＵＥ  ｅＩ−ＤＲＸネゴシエーションモジュール９０５は、基地局またはコアネットワークのいずれかに、調整されたｅＩ−ＤＲＸサイクルまたは追加のページメッセージを与えるための要求を送り得る。
【０１１８】
[0120]ＵＥ事前ウェイクアップモジュール９１０は、装置８０５−ａが基地局選択または再選択測定などのアイドルモード測定をいつ実行し得るかを構成するために、装置８０５−ａによって使用され得る。特に、ＵＥ事前ウェイクアップモジュール９１０は、装置８０５−ａがｅＩ−ＤＲＸディープスリープから起動し、基地局選択または再選択測定を実行し得る事前ウェイクアップ間隔を確立し得る。事前ウェイクアップ間隔は、ｅＩ−ＤＲＸページングフレームの直前の（just before）無線フレーム中に生じるように構成され得る。このようにして、装置８０５−ａは、ページングフレームが生じる前にそれのアイドルモード測定を実行することが可能である。代替的に、ＵＥ事前ウェイクアップモジュール９１０は、基地局またはコアネットワークのいずれかから事前ウェイクアップ間隔を受信し得る。事前ウェイクアップ間隔は、たとえば、ＳＩＢの一部として受信され得る。
【０１１９】
[0121]ＵＥページング繰り返しモジュール９１５は、装置８０５−ａによって検出されたチャネル状態が信頼できない場合に使用され得る短いページングサイクルをネゴシエートするために、装置８０５−ａによって使用され得る。ＵＥ受信機モジュール８１０−ａとＵＥ送信機モジュール８２０−ａとを使用して、ＵＥページング繰り返しモジュール９１５は、短いページングサイクル、ならびに各々がページングオケージョンを逃した後に短いページングサイクルが使用され得る回数をネゴシエートするために、コアネットワークと通信し得る。ｅＩ−ＤＲＸサイクルにおいてディープスリープモードからアウェイクした後に、ＵＥページング繰り返しモジュール９１５が、ページングオケージョンが逃されたことを検出した場合、ＵＥページング繰り返しモジュール９１５は、ネゴシエートされた短いページングサイクルに従って送信されたレガシーページングフレームを監視し得る。レガシーページングフレームは、装置８０５−ａが元の基地局と通信している中または装置８０５−ａが異なる基地局に移動した後、監視され得る。
【０１２０】
[0122]装置８０５−ａは、装置８０５−ａが、送信されたページングメッセージを逃す可能性を低減するために、ＵＥ  ｅＩ−ＤＲＸページングモジュール８１５−ａ中のモジュール９０５、９１０、９１５のいずれかおよび／またはすべてを使用し得る。
【０１２１】
[0123]図１０に、様々な例による、ワイヤレス通信において使用するためのシステムの１０００を示す。システム１０００は、図１、図２、図６、図７Ａおよび／または図７ＢのＵＥ１１５の一例であり得るＵＥ１１５−ｂを含み得る。ＵＥ１１５−ｂはまた、図８および図９の装置８０５の１つまたは複数の態様の一例であり得る。
【０１２２】
[0124]ＵＥ１１５−ｂは、概して、通信を送信するための構成要素と通信を受信するための構成要素とを含む、双方向音声およびデータ通信のための構成要素を含み得る。ＵＥ１１５−ｂは、（１つまたは複数の）ＵＥアンテナ１０４０と、ＵＥトランシーバモジュール１０３５と、ＵＥプロセッサモジュール１００５と、（ソフトウェア（ＳＷ）１０２０を含む）ＵＥメモリ１０１５とを含み得、それらはそれぞれ、（たとえば、１つまたは複数のバス１０４５を介して）直接または間接的に互いに通信し得る。ＵＥトランシーバモジュール１０３５は、上記で説明したように、（１つまたは複数の）ＵＥアンテナ１０４０および／あるいは１つまたは複数のワイヤードまたはワイヤレスリンクを介して、１つまたは複数のネットワークと双方向に通信するように構成され得る。たとえば、ＵＥトランシーバモジュール１０３５は、図１に関して基地局１０５と双方向に通信するように構成され得る。ＵＥトランシーバモジュール１０３５は、パケットを変調し、変調されたパケットを送信のために（１つまたは複数の）ＵＥアンテナ１０４０に与え、（１つまたは複数の）ＵＥアンテナ１０４０から受信されたパケットを復調するように構成されたモデムを含み得る。ＵＥ１１５−ｂは単一のＵＥアンテナを含み得るが、ＵＥ１１５−ｂは、複数のワイヤレス送信を同時に送信および／または受信することが可能な複数のＵＥアンテナを有し得る。ＵＥトランシーバモジュール１０３５は、複数のコンポーネントキャリアを介して１つまたは複数の基地局１０５と同時に通信することが可能であり得る。
【０１２３】
[0125]ＵＥ１１５−ｂは、ＵＥ  ｅＩ−ＤＲＸページングモジュール８１５−ｂを含み得、ＵＥ  ｅＩ−ＤＲＸページングモジュール８１５−ｂは、図８および図９の装置８０５のＵＥ  ｅＩ−ＤＲＸページングモジュール８１５のための上記で説明した機能を実行し得る。ＵＥ１１５−ｂは、再選択遅延モジュール１０２５をも含み得る。再選択遅延モジュール１０２５は、ＵＥ１１５−ｂが少なくともシステムアクセスを実行し、ＵＥ１１５−ｂへのページングメッセージが逃されないことを保証するためにページングオケージョンに参加するまで、第１の基地局から第２の基地局へのＵＥ１１５−ｂの遷移を遅延させるために、ＵＥ  ｅＩ−ＤＲＸページングモジュール８１５−ｂとともに（in conjunction with）使用され得る。再選択遅延モジュール１０２５は、基地局のアイドルモード測定から生じる信号強度情報を取得または受信し得る。最初に接続された基地局の信号強度がしきい値を上回る場合（それが別の基地局の信号強度よりも小さい場合でも）、再選択遅延モジュール１０２５は、ＵＥ１１５−ｂがページングフレームを監視するまで、より強い信号の基地局に遷移することを遅延させるようにＵＥ１１５−ｂを制御し得る。ＵＥ１１５−ｂがページングフレームを監視すると、再選択遅延モジュール１０２５は、ＵＥ１１５−ｂに、新しい基地局に遷移するように命令し得る。
【０１２４】
[0126]ＵＥメモリ１０１５は、ランダムアクセスメモリ（ＲＡＭ）および読取り専用メモリ（ＲＯＭ）を含み得る。ＵＥメモリ１０１５は、実行されたとき、ＵＥプロセッサモジュール１００５に本明細書で説明する様々な機能（たとえば、ページングオケージョンを逃すことを回避するためにアイドルモード測定および他のパラメータの性能を調整することなど）を実行させるように構成された命令を含んでいるコンピュータ可読、コンピュータ実行可能ソフトウェア／ファームウェアコード１０２０を記憶し得る。代替的に、コンピュータ可読、コンピュータ実行可能ソフトウェア／ファームウェアコード１０２０は、ＵＥプロセッサモジュール１００５によって直接的に実行可能でないことがあるが、（たとえば、コンパイルされ実行されたとき）コンピュータに本明細書で説明する機能を実行させるように構成され得る。ＵＥプロセッサモジュール１００５は、インテリジェントハードウェアデバイス、たとえば、中央処理ユニット（ＣＰＵ）、マイクロコントローラ、ＡＳＩＣなどを含み得る。いくつかの実施形態では、モジュールは、本明細書で説明する機能を実行するための専用ハードウェア（たとえば、回路（circuit）または回路（circuitry））中で実行され得る。
【０１２５】
[0127]図１１に、本開示の様々な態様による、ワイヤレス通信において使用するための装置１１０５のブロック図１１００を示す。いくつかの例では、装置１１０５は、デバイスと呼ばれることがあり、本明細書で説明するデバイスの一例であり得る。たとえば、装置１１０５は、図１、図２、図６、図７Ａおよび／または図７Ｂを参照しながら説明した基地局１０５のうちの１つまたは複数の態様の一例であり得る。いくつかの例では、装置１１０５は、ＬＴＥ／ＬＴＥ−Ａ  ｅＮＢおよび／またはＬＴＥ／ＬＴＥ−Ａ基地局一部であるか、またはそれを含み得る。装置１１０５はまた、プロセッサであり得る。装置１１０５は、基地局受信機モジュール１１１０、基地局ｅＩ−ＤＲＸページングモジュール１１１５、および／または基地局送信機モジュール１１２０を含み得る。これらのモジュールの各々は互いと通信していることがある。
【０１２６】
[0128]装置１１０５の構成要素は、ハードウェアで適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的または部分的に、１つまたは複数の汎用または特定用途向けプロセッサによって実行されるようにフォーマットされた、メモリに組み込まれた命令を用いて実装され得る。いくつかの実施形態では、モジュールは、本明細書で説明する機能を実行するための専用ハードウェア（たとえば、回路（circuit）または回路（circuitry））中で実行され得る。
【０１２７】
[0129]いくつかの例では、基地局受信機モジュール１１１０は、ｅＩ−ＤＲＸ構成に関係する、ＵＥ１１５またはコアネットワークからの通信を受信するように動作可能な無線周波数（ＲＦ）受信機など、少なくとも１つのＲＦ受信機を含み得る。基地局受信機モジュール１１１０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。
【０１２８】
[0130]いくつかの例では、基地局送信機モジュール１１２０は、ｅＩ−ＤＲＸサイクルに従ってページングメッセージを送信するように動作可能な少なくとも１つのＲＦ送信機など、少なくとも１つのＲＦ送信機を含み得る。基地局送信機モジュール１１２０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【０１２９】
[0131]いくつかの例では、基地局ｅＩ−ＤＲＸページングモジュール１１１５は、ページングメッセージが装置１１０５からＵＥ１１５にどのようにおよびいつ送信されるかを調整するために使用され得る。たとえば、基地局ｅＩ−ＤＲＸページングモジュール１１１５は、図６、図７Ａおよび図７Ｂに関して上記で説明したように、また以下で説明するように、第１のｅＩ−ＤＲＸサイクル、再ネゴシエートされたｅＩ−ＤＲＸサイクルに従って、およびＵＥのモビリティを反映する（reflecting）ＵＥ１１５からの要求に基づいて、ＵＥ１１５にページングメッセージを送信し得る。
【０１３０】
[0132]図１２に、本開示の様々な態様による、ワイヤレス通信において使用するための装置１１０５−ａのブロック図１２００を示す。いくつかの例では、装置１１０５−ａは、デバイスと呼ばれることがあり、本明細書で説明するデバイスの一例であり得る。たとえば、装置１１０５−ａは、図１、図２、図６、図７Ａおよび／または図７Ｂを参照しながら説明した基地局１０５のうちの１つまたは複数の態様の一例、ならびに／あるいは図１１を参照しながら説明した装置１１０５の態様の一例であり得る。いくつかの例では、装置１１０５−ａは、ＬＴＥ／ＬＴＥ−Ａ  ｅＮＢおよび／またはＬＴＥ／ＬＴＥ−Ａ基地局一部であるか、またはそれを含み得る。装置１１０５−ａはまた、プロセッサであり得る。装置１１０５−ａは、基地局受信機モジュール１１１０−ａ、基地局ｅＩ−ＤＲＸページングモジュール１１１５−ａ、および／または基地局送信機モジュール１１２０−ａを含み得る。これらのモジュールの各々は互いと通信していることがある。
【０１３１】
[0133]装置１１０５−ａの構成要素は、ハードウェアで適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的または部分的に、１つまたは複数の汎用または特定用途向けプロセッサによって実行されるようにフォーマットされた、メモリに組み込まれた命令を用いて実装され得る。いくつかの実施形態では、モジュールは、本明細書で説明する機能を実行するための専用ハードウェア（たとえば、回路（circuit）または回路（circuitry））中で実行され得る。
【０１３２】
[0134]いくつかの例では、基地局受信機モジュール１１１０−ａは、図１１を参照しながら説明した基地局受信機モジュール１１１０の１つまたは複数の態様の一例であり得る。いくつかの例では、基地局送信機モジュール１１２０−ａは、図１１を参照しながら説明した基地局送信機モジュール１１２０の１つまたは複数の態様の一例であり得る。基地局受信機モジュール１１１０−ａおよび基地局送信機モジュール１１２０−ａは、それぞれ、図１１の基地局受信機モジュール１１１０および基地局送信機モジュール１１２０の機能を実行し得る。
【０１３３】
[0135]基地局ｅＩ−ＤＲＸページングモジュール１１１５−ａは、基地局ｅＩ−ＤＲＸネゴシエーションモジュール１２０５、基地局事前ウェイクアップモジュール１２１０、および／または基地局ページング繰り返しモジュール１２１５を含み得る。
【０１３４】
[0136]基地局ｅＩ−ＤＲＸネゴシエーションモジュール１２０５は、調整されたｅＩ−ＤＲＸサイクルをＵＥとネゴシエートするために装置１１０５−ａによって使用され得る。ＵＥが、ＵＥのモビリティが高くなる可能性があると決定した場合、ＵＥは、基地局またはコアネットワークに、それのｅＩ−ＤＲＸサイクルを短縮するための要求を送信し得る。基地局ｅＩ−ＤＲＸネゴシエーションモジュール１２０５は、それに応じて、概してコアネットワークからの命令または確認に応答して、ｅＩ−ＤＲＸサイクルを短縮し得る。ＵＥが、それのモビリティが低くなる可能性があると決定した場合、ＵＥはより長いｅＩ−ＤＲＸサイクルを要求し得る。もう一度、基地局ｅＩ−ＤＲＸネゴシエーションモジュール１２０５は、ｅＩ−ＤＲＸサイクルを調整することによって応答し得る。いくつかの例では、ＵＥは、ダウンリンクチャネル状態の変化があると決定し得る。ＵＥ  ｅＩ−ＤＲＸページングモジュール８１５−ａは、たとえば、ダウンリンクチャネル状態が信頼できなくなったと決定し得る。たとえば、現在のサービング基地局からの信号強度が、ＰＯを受信するのに十分強くないことがあり、その結果、ＰＯを逃す可能性がある。ＵＥは、したがって、調整されたｅＩ−ＤＲＸサイクルまたは追加のページメッセージを要求し得、基地局ｅＩ−ＤＲＸネゴシエーションモジュール１２０５は、基地局ページング繰り返しモジュール１２１５とともに、ｅＩ−ＤＲＸサイクルを調整することまたは追加のページメッセージを与えることによって応答し得る。
【０１３５】
[0137]基地局事前ウェイクアップモジュール１２１０は、ＵＥに、ｅＩ−ＤＲＸサイクルにおけるＵＥによる使用のための事前ウェイクアップ間隔を送信するために、装置１１０５−ａによって使用され得る。基地局事前ウェイクアップモジュール１２１０は、たとえば、ＳＩＢを介して、事前ウェイクアップ間隔、およびそれに関係する（pertaining to the same）情報をブロードキャストし得る。
【０１３６】
[0138]基地局ページング繰り返しモジュール１２１５は、ＵＥがページングオケージョンを逃した場合に使用され得る短いページングサイクルをネゴシエートするために、装置１１０５−ａによって使用され得る。基地局ページング繰り返しモジュール１２１５は、短いページング構成をＵＥとネゴシエートし得るか、または、代替的に、コアネットワークから短いページング構成を受信し得る。基地局ページング繰り返しモジュール１２１５が、ＵＥがページングオケージョンを逃した（たとえば、ＵＥが、送信されたページングメッセージを受信しなかった）ことを検出した場合、基地局ページング繰り返しモジュール１２１５は、装置１１０５−ａに、ネゴシエートされた短いページングサイクルに従って、逃したページングメッセージを送信し続けるように命令し得る。代替的に、基地局ページング繰り返しモジュール１２１５は、ＵＥがページングオケージョンを逃したかどうかにかかわらず、単に、各ページングメッセージの複数のインスタンスをＵＥに送り得る。いずれの事例でも、基地局ページング繰り返しモジュール１２１５は、短いページングサイクルに従ってページングメッセージを送り得る。基地局ページング繰り返しモジュール１２１５は、ページングメッセージがインスタンスの最大数を送られるか、ＵＥが、ＵＥがページングメッセージを受信したことを装置１１０５−ａに通知するか、またはコアネットワークが、ＵＥがページングメッセージを受信したことを装置１１０５−ａに通知するか、のいずれかまで、ページングメッセージを送り続け得る。基地局ページング繰り返しモジュール１２１５はまた、短いページングサイクルに従って送られたページングメッセージがＭＭＥトラッキングエリア内の他の基地局と同期したハイパーＳＦＮまたはほぼ同期したハイパーＳＦＮにおいても送られることを保証し得る。このようにして、ＭＭＥトラッキングエリア内の基地局のグループは、それぞれ、同時にまたはほぼ同時にページングメッセージを送信し、これにより、ＵＥが、ページングメッセージを逃すことなしに異なる基地局からより容易に遷移することを可能にし得る。
【０１３７】
[0139]図１３に、本開示の様々な態様による、ワイヤレス通信において使用するための基地局１０５−ｄ（たとえば、ｅＮＢの一部または全部を形成する基地局）のブロック図１３００を示す。いくつかの例では、基地局１０５−ｄは、図１、図２、図６、図７Ａおよび／または図７Ｂを参照しながら説明した基地局１０５のうちの１つまたは複数の態様、ならびに／あるいは図１１および／または図１２を参照しながら説明したように、基地局として構成されたときの装置１１０５のうちの１つまたは複数の態様の一例であり得る。基地局１０５−ｄは、図１、図２、図６、図７Ａ、図７Ｂ、図１１および／または図１２を参照しながら説明した基地局および／または装置の特徴および機能のうちの少なくともいくつかを実装するかまたは可能にするように構成され得る。
【０１３８】
[0140]基地局１０５−ｄは、基地局プロセッサモジュール１３１０、基地局メモリモジュール１３２０、（（１つまたは複数の）基地局トランシーバモジュール１３５０によって表される）少なくとも１つの基地局トランシーバモジュール、（（１つまたは複数の）基地局アンテナ１３５５によって表される）少なくとも１つの基地局アンテナ、および／または基地局ｅＩ−ＤＲＸページングモジュール１１１５−ｂを含み得る。基地局１０５−ｄはまた、基地局通信モジュール１３３０および／またはネットワーク通信モジュール１３４０のうちの１つまたは複数を含み得る。これらのモジュールの各々は、１つまたは複数のバス１３３５上で、直接または間接的に互いと通信していることがある。
【０１３９】
[0141]基地局メモリモジュール１３２０はＲＡＭおよび／またはＲＯＭを含み得る。基地局メモリモジュール１３２０は、実行されたとき、ワイヤレス通信に関係する本明細書で説明する様々な機能（たとえば、ｅＩ−ＤＲＸサイクルによるページング動作の調整など）を基地局プロセッサモジュール１３１０に実行させるように構成された命令を含んでいるコンピュータ可読、コンピュータ実行可能ソフトウェア／ファームウェアコード１３２５を記憶し得る。代替的に、コンピュータ可読、コンピュータ実行可能ソフトウェア／ファームウェアコード１３２５は、基地局プロセッサモジュール１３１０によって直接的に実行可能でないことがあるが、（たとえば、コンパイルされ、実行されたとき）本明細書で説明する機能のうちのいくつかを基地局１３０５に実行させるように構成され得る。いくつかの実施形態では、モジュールは、本明細書で説明する機能を実行するための専用ハードウェア（たとえば、回路（circuit）または回路（circuitry））中で実行され得る。
【０１４０】
[0142]基地局プロセッサモジュール１３１０は、インテリジェントハードウェアデバイス、たとえば、ＣＰＵ、マイクロコントローラ、ＡＳＩＣなどを含み得る。基地局プロセッサモジュール１３１０は、（１つまたは複数の）基地局トランシーバモジュール１３５０、基地局通信モジュール１３３０、および／またはネットワーク通信モジュール１３４０を通して受信された情報を処理し得る。基地局プロセッサモジュール１３１０はまた、（１つまたは複数の）基地局アンテナ１３５５を通した送信のために（１つまたは複数の）基地局トランシーバモジュール１３５０に送られるべき情報、１つまたは複数の他の基地局１０５−ｅおよび１０５−ｆへの送信のために基地局通信モジュール１３３０に送られるべき情報、ならびに／または図１を参照しながら説明したコアネットワーク１３０の１つまたは複数の態様の一例であり得る、コアネットワーク１３４５への送信のためにネットワーク通信モジュール１３４０に送られるべき情報を処理し得る。基地局プロセッサモジュール１３１０は、単独で、または基地局ｅＩ−ＤＲＸページングモジュール１１１５−ｂとともに、ｅＩ−ＤＲＸ関係ページング動作の様々な態様を扱い得る。
【０１４１】
[0143]（１つまたは複数の）基地局トランシーバモジュール１３５０は、パケットを変調し、変調されたパケットを送信のために（１つまたは複数の）基地局アンテナ１３５５に与え、（１つまたは複数の）基地局アンテナ１３５５から受信されたパケットを復調するように構成されたモデムを含み得る。（１つまたは複数の）基地局トランシーバモジュール１３５０は、いくつかの例では、１つまたは複数の基地局送信機モジュールおよび１つまたは複数の別個の基地局受信機モジュールとして実装され得る。（１つまたは複数の）基地局トランシーバモジュール１３５０は、第１の無線周波数スペクトル帯域および／または第２の無線周波数スペクトル帯域における通信をサポートし得る。（１つまたは複数の）基地局トランシーバモジュール１３５０は、図１、図２、図６、図７Ａ、図７Ｂおよび／または図１０を参照しながら説明したＵＥ１１５のうちの１つまたは複数など、１つまたは複数のＵＥまたは装置と、（１つまたは複数の）基地局アンテナ１３５５を介して双方向に通信するように構成され得る。基地局１０５−ｄは、たとえば、複数の基地局アンテナ１３５５（たとえば、アンテナアレイ）を含み得る。基地局１０５−ｄは、ネットワーク通信モジュール１３４０を通してコアネットワーク１３４５と通信し得る。基地局１０５−ｄはまた、基地局通信モジュール１３３０を使用して、基地局１０５−ｅおよび１０５−ｆなど、他の基地局と通信し得る。
【０１４２】
[0144]基地局ｅＩ−ＤＲＸページングモジュール１１１５−ｂは、ｅＩ−ＤＲＸサイクルに従ってページング動作を調整することに関係する、図６、図７Ａおよび／または図７Ｂを参照しながら説明した特徴および／または機能の一部または全部を実行および／または制御するように構成され得る。いくつかの例では、基地局ｅＩ−ＤＲＸページングモジュール１１１５−ｂは、ＵＥに新しいｅＩ−ＤＲＸサイクルを送信するために使用され得る。他の例では、基地局ｅＩ−ＤＲＸページングモジュール１１１５−ｂは、ＵＥに事前ウェイクアップ間隔を送信するために使用され得る。さらに他の例では、基地局ｅＩ−ＤＲＸページングモジュール１１１５−ｂは、基地局とＵＥとの間の無線リンクの信頼性に少なくとも部分的に基づいて使用されるべき短縮されたページングサイクルをネゴシエートするために使用され得る。信頼性は、カバレージ要件、ＵＥモビリティの変化、および／または無線チャネル状態に基づき得る。基地局ｅＩ−ＤＲＸページングモジュール１１１５−ｂ、または基地局ｅＩ−ＤＲＸページングモジュール１１１５−ｂの部分はプロセッサを含み得、ならびに／あるいは基地局ｅＩ−ＤＲＸページングモジュール１１１５−ｂの機能の一部または全部は、基地局プロセッサモジュール１３１０によって、および／または基地局プロセッサモジュール１３１０とともに実行され得る。いくつかの例では、基地局ｅＩ−ＤＲＸページングモジュール１１１５−ｂは、図１１および／または図１２を参照しながら説明した基地局ｅＩ−ＤＲＸページングモジュール１１１５および／または１１１５−ａの一例であり得る。
【０１４３】
[0145]図１４は、基地局１０５−ｇとＵＥ１１５−ｃとを含むＭＩＭＯ通信システム１４００のブロック図である。ＭＩＭＯ通信システム１４００は、図１に示されているワイヤレス通信システム１００の態様を示し得る。基地局１０５−ｇはアンテナ１４３４−ａ〜１４３４−ｘを装備し得、ＵＥ１１５−ｃはアンテナ１４５２−ａ〜１４５２−ｎを装備し得る。ＭＩＭＯ通信システム１４００では、基地局１０５−ｇは、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局１０５−ｇが２つの「レイヤ」を送信する２×２ＭＩＭＯ通信システムでは、基地局１０５−ｇとＵＥ１１５−ｃとの間の通信リンクのランクは２である。
【０１４４】
[0146]基地局１０５−ｇにおいて、送信（Ｔｘ）プロセッサ１４２０がデータソースからデータを受信し得る。送信プロセッサ１４２０はデータを処理し得る。送信プロセッサ１４２０はまた、制御シンボルおよび／または基準シンボルを生成し得る。送信（ＴＸ）ＭＩＭＯプロセッサ１４３０が、適用可能な場合、データシンボル、制御シンボル、および／または基準シンボルに対して空間処理（たとえば、プリコーディング）を実行し得、出力シンボルストリームを送信変調器１４３２ａ〜１４３２ｘに与え得る。各変調器１４３２は、出力サンプルストリームを取得するために、（たとえば、ＯＦＤＭなどのために）それぞれの出力シンボルストリームを処理し得る。各変調器１４３２はさらに、ＤＬ信号を取得するために、出力サンプルストリームを処理（たとえば、アナログへの変換、増幅、フィルタ処理、およびアップコンバート）し得る。一例では、変調器１４３２−ａ〜１４３２−ｘからのＤＬ信号は、それぞれアンテナ１４３４−ａ〜１４３４−ｘを介して送信され得る。
【０１４５】
[0147]ＵＥ１１５−ｃにおいて、ＵＥアンテナ１４５２−ａ〜１４５２−ｎは、基地局１０５−ｇからＤＬ信号を受信し得、受信信号をそれぞれ復調器１４５４−ａ〜１４５４−ｎに与え得る。各復調器１４５４は、入力サンプルを取得するために、それぞれの受信信号を調整（たとえば、フィルタ処理、増幅、ダウンコンバート、およびデジタル化）し得る。各復調器１４５４はさらに、受信シンボルを取得するために、（たとえば、ＯＦＤＭなどのために）入力サンプルを処理し得る。ＭＩＭＯ検出器１４５６は、すべての復調器１４５４−ａ〜１４５４−ｎから受信シンボルを取得し、適用可能な場合は受信シンボルに対してＭＩＭＯ検出を実行し、検出されたシンボルを与え得る。受信（Ｒｘ）プロセッサ１４５８が、検出されたシンボルを処理（たとえば、復調、デインターリーブ、および復号）し、ＵＥ１１５−ｃのための復号されたデータをデータ出力に与え、復号された制御情報をプロセッサ１４８０、またはメモリ１４８２に与え得る。
【０１４６】
[0148]プロセッサ１４８０は、場合によっては、ＵＥ  ｅＩ−ＤＲＸページングモジュール８１５−ｃのうちの１つまたは複数をインスタンス化するための記憶された命令を実行し得る。ＵＥ  ｅＩ−ＤＲＸページングモジュール８１５−ｃは、図８、図９および／または図１０を参照しながら説明したＵＥ  ｅＩ−ＤＲＸページングモジュール８１５の態様の一例であり得る。
【０１４７】
[0149]アップリンク（ＵＬ）上で、ＵＥ１１５−ｃにおいて、送信プロセッサ１４６４が、データソースからデータを受信し、処理し得る。送信プロセッサ１４６４はまた、基準信号のための基準シンボルを生成し得る。送信プロセッサ１４６４からのシンボルは、適用可能な場合は送信ＭＩＭＯプロセッサ１４６６によってプリコーディングされ、さらに（たとえば、ＳＣ−ＦＤＭＡなどのために）復調器１４５４−ａ〜１４５４−ｎによって処理され、基地局１０５−ｇから受信された送信パラメータに従って基地局１０５−ｇに送信され得る。基地局１０５−ｇにおいて、ＵＥ１１５−ｃからのＵＬ信号は、アンテナ１４３４によって受信され、復調器１４３２によって処理され、適用可能な場合はＭＩＭＯ検出器１４３６によって検出され、さらに受信プロセッサ１４３８によって処理され得る。受信プロセッサ１４３８は、復号されたデータをデータ出力とプロセッサ１４４０および／またはメモリ１４４２とに与え得る。プロセッサ１４４０は、場合によっては、基地局ｅＩ−ＤＲＸページングモジュール１１１５−ｃのうちの１つまたは複数をインスタンス化するための記憶された命令を実行し得る。基地局ｅＩ−ＤＲＸページングモジュール１１１５−ｃは、図１１、図１２および／または図１３を参照しながら説明した基地局ｅＩ−ＤＲＸページングモジュール１１１５の態様の一例であり得る。
【０１４８】
[0150]ＵＥ１１５−ｃの構成要素は、適用可能な機能の一部または全部をハードウェアで実行するように適応された１つまたは複数のＡＳＩＣを用いて、個々にまたはまとめて実装され得る。言及されたモジュールの各々は、ＭＩＭＯ通信システム１４００の動作に関係する１つまたは複数の機能を実行するための手段であり得る。同様に、基地局１０５−ｇの構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１４００の動作に関係する１つまたは複数の機能を実行するための手段であり得る。
【０１４９】
[0151]図１５は、本開示の様々な態様による、ワイヤレス通信のための方法１５００の一例を示すフローチャートである。明快のために、方法１５００について、図１、図２、図６、図７Ａ、図７Ｂ、図１０および／または図１４を参照しながら説明したＵＥ１１５のうちの１つまたは複数の態様、ならびに／あるいは図８および／または図９を参照しながら説明した装置８０５のうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して以下で説明する機能のうちの１つまたは複数を実行し得る。
【０１５０】
[0152]ブロック１５０５において、方法１５００は、ＵＥにおいて、ｅＩ−ＤＲＸサイクルのための構成を受信することを含み得る。受信されたｅＩ−ＤＲＸサイクルは、ＵＥが、任意の送信されたページングメッセージを取り出すためのシステムアクセスを実行するために起動し得る、指定のページングフレームを含み得る。ＵＥはまた、ページングオケージョンに参加するより前に、基地局選択または再選択測定などのアイドルモード測定を実行する必要があり得る。ブロック１５０５における（１つまたは複数の）動作は、図８、図９および／または図１０を参照しながら説明したＵＥ  ｅＩ−ＤＲＸページングモジュール８１５を使用して実行され得る。
【０１５１】
[0153]ブロック１５１０において、方法１５００は、ＵＥに関連するダウンリンクチャネル信頼性状態の変化を識別することを含み得る。ダウンリンクチャネル信頼性状態の変化は、カバレージ要件、ＵＥモビリティの変化、または無線チャネル状態に基づいて識別され得る。いくつかの例では、ダウンリンクチャネル信頼性状態の変化を識別することは、ＵＥのモビリティを決定することを含み得る。ＵＥは、それが高いモビリティを有する可能性があり、したがって、より短いｅＩ−ＤＲＸサイクルから恩恵を受け得ると決定し得る。代替的に、ＵＥは、それが低いモビリティを有する可能性があり、したがって、より長いｅＩ−ＤＲＸサイクルから恩恵を受け得ると決定し得る。いくつかの例では、ダウンリンクチャネル信頼性状態の変化を識別することは、ＵＥによって検出された無線チャネル状態を識別することを含み得る。たとえば、ＵＥは、サービング基地局のカバレージエリア中のサービング基地局の信号強度がページングオケージョンを受信するのに十分強くないことを測定し得る。また別の実施形態では、ＵＥは、それが、ある基地局の地理的カバレージエリアから別の基地局の地理的カバレージエリアにすでに移動したと決定し得、ＵＥは、それがどのようにおよびいつアイドルモード測定を実行するか、またはページングオケージョンに参加するかを調整する必要があり得る。ブロック１５１０における（１つまたは複数の）動作は、図８、図９および／または図１０を参照しながら説明したＵＥ  ｅＩ−ＤＲＸページングモジュール８１５を使用して実行され得る。
【０１５２】
[0154]ブロック１５１５において、方法１５００は、受信されたｅＩ−ＤＲＸサイクルと識別された信頼性状態とに基づいて、ＤＬチャネル監視をいつ実行すべきかを決定することを含み得る。ブロック１５０５および１５１０において取得された情報を使用して、方法１５００は、次いで、ページングメッセージ監視をいつ実行すべきかを決定する。ブロック１５１５における（１つまたは複数の）動作は、図８、図９および／または図１０を参照しながら説明したＵＥ  ｅＩ−ＤＲＸページングモジュール８１５を使用して実行され得る。
【０１５３】
[0155]したがって、方法１５００は、ワイヤレス通信、特に、ｅＩ−ＤＲＸサイクルを使用するワイヤレス通信を与え得る。方法１５００は一実装形態にすぎないこと、および方法１５００の動作は、他の実装形態が可能であるように、並べ替えられるかまたは場合によっては変更され得ることに留意されたい。
【０１５４】
[0156]図１６は、本開示の様々な態様による、ワイヤレス通信のための方法１６００の一例を示すフローチャートである。明快のために、方法１６００について、図１、図２、図６、図７Ａ、図７Ｂ、図１０および／または図１４を参照しながら説明したＵＥ１１５のうちの１つまたは複数の態様、ならびに／あるいは図８および／または図９を参照しながら説明した装置８０５のうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して以下で説明する機能のうちの１つまたは複数を実行し得る。
【０１５５】
[0157]ブロック１６０５において、方法１６００は、ＵＥにおいて、ｅＩ−ＤＲＸサイクルのための構成を受信することを含み得る。受信されたｅＩ−ＤＲＸサイクルは、ＵＥが、送信されたページングメッセージを取り出すためのシステムアクセスを実行するために起動し得る、指定のページングフレームを含み得る。ＵＥはまた、ページングオケージョンに参加するより前に、基地局選択または再選択測定などのアイドルモード測定を実行する必要があり得る。
【０１５６】
[0158]ブロック１６１０において、方法１６００は、ＵＥに関連するダウンリンクチャネル信頼性状態の変化を識別することを含み得る。ＵＥは、無線状態および／またはＵＥのモビリティの変化があることを識別し得る。たとえば、ＵＥは、それが高いモビリティを有する可能性があり、したがって、より短いｅＩ−ＤＲＸサイクルから恩恵を受け得ると決定し得る。代替的に、ＵＥは、それが低いモビリティを有する可能性があり、したがって、より長いｅＩ−ＤＲＸサイクルから恩恵を受け得ると決定し得る。また別の実施形態では、ＵＥは、それが、ある基地局の地理的カバレージエリアから別の基地局の地理的カバレージエリアにすでに移動したと決定し得、したがって、ＵＥの変化に基づいて、ＵＥは、それがアイドルモード測定をどのようにおよびいつ実行するか、またはどのようにおよびいつページングオケージョンに参加するかを調整する必要があり得る。
【０１５７】
[0159]ブロック１６１５において、方法１６００は、調整されたｅＩ−ＤＲＸサイクルを要求することを含み得る。ＵＥのモビリティが高いと決定された場合、ＵＥは、たとえば、それのｅＩ−ＤＲＸサイクルが短縮されることを要求し得る。
【０１５８】
[0160]ブロック１６２０において、方法１６００は、ｅＩ−ＤＲＸ定義ページングオケージョンの前に事前ウェイクアップ時間期間中にアイドルモード測定を実行することを含み得る。ページングオケージョンを逃すことを回避するために、ＵＥは、ｅＩ−ＤＲＸサイクル中のページングフレームの前である時間間隔中に、基地局選択または再選択測定などのアイドルモード測定を実行するように構成され得る。事前ウェイクアップ時間期間はまた、たとえば、ＳＩＢにおいてＵＥによって受信され得る。
【０１５９】
[0161]ブロック１６２５において、方法１６００は、短いページング構成をコアネットワークとネゴシエートすることを含み得る。ページングメッセージが逃されないことを保証するために、ＵＥは、ＵＥがページングオケージョンを逃したことが検出されたとき、短いページングサイクルがいつおよびどのくらいの持続時間の間使用され得るかを確立するために、コアネットワークとネゴシエートし得る。したがって、ブロック１６３０において、本方法は、ＵＥが、それがｅＩ−ＤＲＸ定義ページングオケージョンを逃したことを検出した場合、短いページング構成によって定義されるレガシーページングフレームを監視することをも含む。
【０１６０】
[0162]ＵＥは方法１６００のステップの各々を実装し得るが、方法１６００は一例にすぎない。方法１６００のステップは、説明した厳密な順序（exact order）で実装される必要はない。また、ＵＥが方法１６００のステップのすべてを実装するとは限らない（neither must）。したがって、方法１６００は一実装形態にすぎないこと、および方法１６００の動作は、他の実装形態が可能であるように、並べ替えられるかまたは場合によっては変更され得ることに留意されたい。
【０１６１】
[0163]図１７は、本開示の様々な態様による、ワイヤレス通信のための方法１７００の一例を示すフローチャートである。明快のために、方法１７００について、図１、図２、図６、図７Ａ、図７Ｂ、図１３および／または図１４を参照しながら説明した基地局１０５のうちの１つまたは複数の態様、ならびに／あるいは図１１および／または図１２を参照しながら説明した装置１１０５のうちの１つまたは複数の態様に関して以下で説明する。いくつかの例では、基地局は、以下で説明する機能を実行するように基地局の機能要素を制御するためのコードの１つまたは複数のセットを実行し得る。追加または代替として、基地局は、専用ハードウェアを使用して以下で説明する機能のうちの１つまたは複数を実行し得る。
【０１６２】
[0164]ブロック１７０５において、方法１７００は、ｅＩ−ＤＲＸサイクルのための構成を基地局からＵＥに送信することを含み得る。送信されたｅＩ−ＤＲＸサイクルは、ＵＥが、送信されたページングメッセージを取り出すためのシステムアクセスを実行するために起動し得る、指定のページングフレームを含み得る。ブロック１７０５における（１つまたは複数の）動作は、図１１、図１２および／または図１３を参照しながら説明した基地局ｅＩ−ＤＲＸページングモジュール１１１５を使用して実行され得る。
【０１６３】
[0165]ブロック１７１０において、方法１７００は、ｅＩ−ＤＲＸサイクルに基づいて、ＵＥにページング情報をいつ送信すべきかを調整することを含み得る。調整は、ＵＥによって検出されたダウンリンクチャネル信頼性状態の変化に少なくとも部分的に基づき得る。たとえば、基地局は、ＵＥのモビリティまたはダウンリンクチャネル信頼性状態の変化に基づいて、ｅＩ−ＤＲＸサイクルを変更するための要求をＵＥから受信し得る。応答して、基地局は、更新されたｅＩ−ＤＲＸサイクルに従って、ページング情報の送信を調整し得る。代替的に、ＵＥは、ＵＥがチャネル信頼性またはそれのモビリティの変化によりページングオケージョンを逃した場合、基地局がページングメッセージを再送信することを要求し得る。応答して、基地局は、ｅＩ−ＤＲＸページングフレームの後の短いページングサイクルに従って、ページングメッセージを送信し得る。ブロック１７１０における（１つまたは複数の）動作は、図１１、図１２および／または図１３を参照しながら説明した基地局ｅＩ−ＤＲＸページングモジュール１１１５を使用して実行され得る。
【０１６４】
[0166]ブロック１７１５において、方法１７００は、ＵＥにページング情報を送信することを含み得る。ページング情報は、ブロック１７１０においてなされた調整に従って送信される。ブロック１７１５における（１つまたは複数の）動作は、図１１、図１２および／または図１３を参照しながら説明した基地局ｅＩ−ＤＲＸページングモジュール１１１５を使用して実行され得る。
【０１６５】
[0167]したがって、方法１７００は、ワイヤレス通信、特に、ｅＩ−ＤＲＸサイクルを使用するワイヤレス通信を与え得る。方法１７００は一実装形態にすぎないこと、および方法１７００の動作は、他の実装形態が可能であるように、並べ替えられるかまたは場合によっては変更され得ることに留意されたい。
【０１６６】
[0168]図１８は、本開示の様々な態様による、ワイヤレス通信のための方法１８００の一例を示すフローチャートである。明快のために、方法１８００について、図１、図２、図６、図７Ａ、図７Ｂ、図１３および／または図１４を参照しながら説明した基地局１０５のうちの１つまたは複数の態様、ならびに／あるいは図１１および／または図１２を参照しながら説明した装置１１０５のうちの１つまたは複数の態様に関して以下で説明する。いくつかの例では、基地局は、以下で説明する機能を実行するように基地局の機能要素を制御するためのコードの１つまたは複数のセットを実行し得る。追加または代替として、基地局は、専用ハードウェアを使用して以下で説明する機能のうちの１つまたは複数を実行し得る。
【０１６７】
[0169]ブロック１８０５において、方法１８００は、ｅＩ−ＤＲＸサイクルのための構成を基地局からＵＥに送信することを含み得る。送信されたｅＩ−ＤＲＸサイクルは、ＵＥが、送信されたページングメッセージを取り出すためのシステムアクセスを実行するために起動し得る、指定のページングフレームを含み得る。
【０１６８】
[0170]ブロック１８１０において、方法１８００は、ＵＥからの要求に応答してｅＩ−ＤＲＸサイクルを短縮することを含み得る。ＵＥは、それのモビリティにより、それが、より頻繁なページングフレームを有するより短いｅＩ−ＤＲＸサイクルから恩恵を受けるであろうと決定し得る。
【０１６９】
[0171]ブロック１８１５において、方法１８００は、ＵＥのためのｅＩ−ＤＲＸ定義ページングオケージョンの前にアイドルモード測定を実行するために、ＵＥのための事前ウェイクアップ期間をＵＥと確立することを含み得る。基地局は、たとえば、ＳＩＢの一部として事前ウェイクアップ間隔をブロードキャストすることによって、これを行い得る。
【０１７０】
[0172]ブロック１８２０において、方法１８００は、短いページング構成をＵＥとネゴシエートすることを含み得る。基地局がネゴシエーションを実行し得るか、またはネゴシエーションがコアネットワークによって実行され、次いで基地局に通信され得る。いずれの場合も、基地局は、ＵＥがページングオケージョンを逃した場合、短いページングサイクルに従って、ＵＥにページングメッセージを送信することに同意する。基地局は、（基地局についてあらかじめ定義され得るように）送信の最大数（a maximum number of transmission）が到達されるか、ＵＥが、それがページングメッセージを受信したことを基地局に通知するか、またはコアネットワークが、ＵＥがページングメッセージを受信したことを基地局に通知するか、のいずれかまで、ページングメッセージを送信し続け得る。
【０１７１】
[0173]方法１８００は一実装形態にすぎないこと、および方法１８００の動作は、他の実装形態が可能であるように、並べ替えられるかまたは場合によっては変更され得ることに留意されたい。
【０１７２】
[0174]いくつかの例では、方法１５００、１６００、１７００、１８００のうちの２つまたはそれ以上からの態様が組み合わせられ得る。方法１５００、１６００、１７００、１８００は例示的な実装形態にすぎないこと、および方法１５００〜１８００の動作は、他の実装形態が可能であるように、並べ替えられるかまたは場合によっては変更され得ることに留意されたい。
【０１７３】
[0175]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１７４】
[0176]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１７５】
[0177]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１７６】
[0178]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１７７】
[0179]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１７８】
[0180]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続も非一時的コンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも非一時的コンピュータ可読媒体の範囲内に含まれる。
【０１７９】
[0181]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信システムにおける拡張アイドル間欠受信（ｅＩ−ＤＲＸ）動作のための方法であって、
ユーザ機器（ＵＥ）において、ｅＩ−ＤＲＸサイクルのための構成を受信することと、
前記ＵＥに関連するダウンリンクチャネル信頼性状態の変化を識別することと、
前記受信されたｅＩ−ＤＲＸサイクルと前記識別されたダウンリンクチャネル信頼性状態とに基づいて、ダウンリンクチャネル監視をいつ実行すべきかを決定することとを備える、方法。
［Ｃ２］
前記ダウンリンクチャネル信頼性状態の前記変化を識別することが、
第１の基地局カバレージエリアに関して前記ＵＥのモビリティを決定することを備える、Ｃ１に記載の方法。
［Ｃ３］
前記ＵＥの前記モビリティを決定することは、
前記ＵＥが前記受信されたｅＩ−ＤＲＸサイクル中に第２の基地局カバレージエリアに移動するだろう可能性を示すＵＥモビリティ値を決定することを備える、Ｃ２に記載の方法。
［Ｃ４］
前記決定されたＵＥモビリティ値に基づいて、調整されたｅＩ−ＤＲＸサイクルを要求することをさらに備える、Ｃ３に記載の方法。
［Ｃ５］
前記ＵＥに関連する前記ダウンリンクチャネル信頼性状態の前記変化を識別することは、
前記ｅＩ−ＤＲＸサイクルに基づいてアイドルモード測定を実行することを備え、前記アイドルモード測定が、第１の基地局カバレージエリアを有する第１の基地局および第２の基地局カバレージエリアを有する第２の基地局のうちの少なくとも１つの信号強度を測定することを含む、
ここにおいて、ダウンリンクチャネル監視をいつ実行すべきかを前記決定することが前記アイドルモード測定に基づく、Ｃ１に記載の方法。
［Ｃ６］
前記アイドルモード測定を実行することが、
ｅＩ−ＤＲＸ定義ページングオケージョン（ＰＯ）の前に事前ウェイクアップ時間期間中に前記アイドルモード測定を実行することを備え、ここにおいて、前記事前ウェイクアップ時間期間が前記ｅＩ−ＤＲＸサイクルの関数である、Ｃ５に記載の方法。
［Ｃ７］
前記第１の基地局の前記信号強度が、前記第２の基地局の前記信号強度よりも小さく、あらかじめ定義された最小信号強度しきい値を上回るとき、前記ｅＩ−ＤＲＸ定義ＰＯの持続時間の間、前記第１の基地局との接続を維持することと、
前記ｅＩ−ＤＲＸ定義ＰＯの後に前記第２の基地局との接続を確立することとをさらに備える、Ｃ６に記載の方法。
［Ｃ８］
前記第１の基地局の前記信号強度が、前記第２の基地局の前記信号強度よりも小さく、あらかじめ定義された最小信号強度しきい値よりも小さいとき、前記ｅＩ−ＤＲＸ定義ＰＯの前に、前記第２の基地局との接続を確立することと、
前記第２の基地局と前記ｅＩ−ＤＲＸ定義ＰＯに参加することとをさらに備える、Ｃ６に記載の方法。
［Ｃ９］
システム情報ブロック（ＳＩＢ）の一部として前記事前ウェイクアップ時間期間を受信することをさらに備える、Ｃ６に記載の方法。
［Ｃ１０］
前記ダウンリンクチャネル信頼性状態の前記変化に少なくとも部分的に基づいて、前記ＵＥによって使用されるべき短いページング構成を確立することをさらに備える、Ｃ１に記載の方法。
［Ｃ１１］
前記短いページング構成を確立することは、
短いページングサイクルを確立することと、前記短いページングサイクルが、前記受信されたｅＩ−ＤＲＸサイクルよりも短く、
前記ダウンリンクチャネル信頼性状態の変化があるとき、前記短いページングサイクルが使用されるべきである監視インスタンスの最大数を確立することとを備える、Ｃ１０に記載の方法。
［Ｃ１２］
前記ＵＥが、前記ダウンリンクチャネル信頼性状態の変化があると決定したとき、前記短いページングサイクルと監視インスタンスの前記最大数とに基づいてダウンリンクチャネル監視を実行することをさらに備える、Ｃ１１に記載の方法。
［Ｃ１３］
ワイヤレス通信システムにおける拡張アイドル間欠受信（ｅＩ−ＤＲＸ）動作のための装置であって、
ユーザ機器（ＵＥ）において、ｅＩ−ＤＲＸサイクルのための構成を受信するための手段と、
前記ＵＥに関連するダウンリンクチャネル信頼性状態の変化を識別するための手段と、
前記受信されたｅＩ−ＤＲＸサイクルと前記識別されたダウンリンクチャネル信頼性状態とに基づいて、ダウンリンクチャネル監視をいつ実行すべきかを決定するための手段とを備える、装置。
［Ｃ１４］
前記ダウンリンクチャネル信頼性状態の前記変化を識別するための前記手段が、
第１の基地局カバレージエリアに関して前記ＵＥのモビリティを決定するための手段を備える、Ｃ１３に記載の装置。
［Ｃ１５］
前記ＵＥの前記モビリティを決定するための前記手段は、
前記ＵＥが前記受信されたｅＩ−ＤＲＸサイクル中に第２の基地局カバレージエリアに移動するだろう可能性を示すＵＥモビリティ値を決定するための手段を備える、Ｃ１４に記載の装置。
［Ｃ１６］
前記決定されたＵＥモビリティ値に基づいて、調整されたｅＩ−ＤＲＸサイクルを要求するための手段をさらに備える、Ｃ１５に記載の装置。
［Ｃ１７］
前記ＵＥに関連する前記ダウンリンクチャネル信頼性状態の前記変化を識別するための前記手段は、
前記ｅＩ−ＤＲＸサイクルに基づいてアイドルモード測定を実行するための手段を備え、前記アイドルモード測定が、第１の基地局カバレージエリアを有する第１の基地局および第２の基地局カバレージエリアを有する第２の基地局のうちの少なくとも１つの信号強度を測定することを含み、
ここにおいて、ダウンリンクチャネル監視をいつ実行すべきかを決定するための前記手段が、前記アイドルモード測定に基づいて、ダウンリンクチャネル監視をいつ実行すべきかを決定するための手段を備える、Ｃ１３に記載の装置。
［Ｃ１８］
アイドルモード測定を実行するための前記手段が、
ｅＩ−ＤＲＸ定義ページングオケージョン（ＰＯ）の前に事前ウェイクアップ時間期間中に前記アイドルモード測定を実行するための手段を備える、Ｃ１７に記載の装置。
［Ｃ１９］
前記ダウンリンクチャネル信頼性状態の前記変化に少なくとも部分的に基づいて、前記ＵＥによって使用されるべき短いページング構成を確立するための手段をさらに備える、Ｃ１３に記載の装置。
［Ｃ２０］
ワイヤレス通信システムにおける拡張アイドル間欠受信（ｅＩ−ＤＲＸ）動作のための方法であって、
ｅＩ−ＤＲＸサイクルのための構成を基地局からユーザ機器（ＵＥ）に送信することと、
前記ｅＩ−ＤＲＸサイクルに基づいて、前記ＵＥにページング情報をいつ送信すべきかを調整することと、
前記ＵＥにページング情報を送信することとを備える、方法。
［Ｃ２１］
ページング情報をいつ送信すべきかを前記調整することが、
前記ｅＩ−ＤＲＸサイクルを短縮するための要求を前記ＵＥから受信することと、
前記受信された要求に応答して前記ｅＩ−ＤＲＸサイクルを短縮することとを備える、Ｃ２０に記載の方法。
［Ｃ２２］
前記ＵＥのためのｅＩ−ＤＲＸ定義ページングオケージョン（ＰＯ）の前にアイドルモード測定を実行するために、前記ＵＥのための事前ウェイクアップ時間期間を前記ＵＥと確立することをさらに備え、前記アイドルモード測定が、１つまたは複数の基地局の信号強度を測定することを含む、Ｃ２０に記載の方法。
［Ｃ２３］
システム情報ブロック（ＳＩＢ）の一部として前記事前ウェイクアップ時間期間をブロードキャストすることをさらに備える、Ｃ２２に記載の方法。
［Ｃ２４］
前記ＵＥおよび前記基地局によって使用されるべき短いページング構成を確立することをさらに備え、前記短いページング構成を確立することは、
短いページングサイクルを確立することと、前記短いページングサイクルが、前記受信されたｅＩ−ＤＲＸサイクルよりも短く、
前記短いページングサイクルが使用されるべきである監視インスタンスの最大数を確立することとを備える、Ｃ２０に記載の方法。
［Ｃ２５］
前記短いページングサイクルと監視インスタンスの前記最大数とに基づいてページング情報を再送信することをさらに備える、Ｃ２４に記載の方法。
［Ｃ２６］
モビリティ管理エンティティ（ＭＭＥ）トラッキングエリア内で１つまたは複数の基地局間のシステムフレーム番号（ＳＦＮ）サイクルの同期を確立することをさらに備える、Ｃ２０に記載の方法。
［Ｃ２７］
前記ＭＭＥトラッキングエリア内で前記１つまたは複数の基地局と同時にページング情報を再送信することをさらに備える、Ｃ２６に記載の方法。
［Ｃ２８］
前記ＵＥがシステムアクセスを実行したことと、前記基地局が前記ＵＥにページング情報を再送信することを停止し得ることとを示すページ停止メッセージをモビリティ管理エンティティ（ＭＭＥ）から受信することをさらに備える、Ｃ２５に記載の方法。
［Ｃ２９］
ワイヤレス通信システムにおける拡張アイドル間欠受信（ｅＩ−ＤＲＸ）動作のための装置であって、
ｅＩ−ＤＲＸサイクルのための構成を基地局からユーザ機器（ＵＥ）に送信するための手段と、
前記ｅＩ−ＤＲＸサイクルに基づいて、前記ＵＥにページング情報をいつ送信すべきかを調整するための手段と、
前記ＵＥにページング情報を送信するための手段とを備える、装置。
［Ｃ３０］
ページング情報をいつ送信すべきかを調整するための前記手段が、
前記ｅＩ−ＤＲＸサイクルを短縮するための要求を前記ＵＥから受信するための手段と、
前記受信された要求に応答して前記ｅＩ−ＤＲＸサイクルを短縮するための手段とを備える、Ｃ２９に記載の装置。
【図１】
0006408128.tif 000008
【図２】
0006408128.tif 000009
【図３】
0006408128.tif 000010
【図４】
0006408128.tif 000011
【図５】
0006408128.tif 000012
【図６】
0006408128.tif 000013
【図７Ａ】
0006408128.tif 000014
【図７Ｂ】
0006408128.tif 000015
【図８】
0006408128.tif 000016
【図９】
0006408128.tif 000017
【図１０】
0006408128.tif 000018
【図１１】
0006408128.tif 000019
【図１２】
0006408128.tif 000020
【図１３】
0006408128.tif 000021
【図１４】
0006408128.tif 000022
【図１５】
0006408128.tif 000023
【図１６】
0006408128.tif 000024
【図１７】
0006408128.tif 000025
【図１８】
0006408128.tif 000026